(57)【要約】  本発明の実施形態は、ユーザの重要なまたは忘れられない経験に関連する情報を捕捉、記録および共有することを対象とする。経験に関連する情報の捕捉は、自動的に、手動でおよび／または自動技法と手動技法との何らかの組合せを使用して開始され得、および情報は、ユーザおよび／もしくは経験の映像、音声および／もしくは写真、経験の態様を説明するメタデータ、ワールドワイドウェブを介してアクセス可能な情報、経験中にユーザの近くにいる友人および同僚のインジケーション、ならびに／または任意の他の適切な情報を含み得る。ユーザの経験に関連する情報は、ユーザ間で共有経験を作りかつ社会的つながりを深めるために、他のユーザがアクセスできるようにされ得る。従って、ユーザは、重要なまたは忘れられない人生経験を「ブックマーク」し、それらの経験に関連する情報の記録を維持し、かつ他者とその情報を共有することができる。
2018536212.tif 000002
【特許請求の範囲】
【請求項１】
（Ａ）ユーザによって操作されるユーザデバイスを介して、前記ユーザの経験に関連する第１の情報の捕捉のインジケーションを受信する動作と、
（Ｂ）少なくとも１つの場所決定コンポーネントにより、前記インジケーションが受信される時間における前記ユーザデバイスの場所を決定する動作と、
（Ｃ）前記ユーザデバイスとは別の少なくとも１つの情報捕捉コンポーネントにより、前記ユーザの前記経験に関連する、前記第１の情報と異なる第２の情報の捕捉を開始する動作と、
（Ｄ）少なくとも１つのブックマークサーバにより、前記第１の情報および前記第２の情報を格納する動作であって、前記第１の情報および前記第２の情報を前記ユーザ、前記経験、前記場所、および前記時間の少なくとも１つと関連付けることを含む、格納する動作と、
（Ｅ）前記少なくとも１つのブックマークサーバにより、前記ユーザの前記経験に関連する前記第１の情報および前記第２の情報へのアクセスを前記ユーザに提供する動作と
を含む、方法。
【請求項２】
前記動作（Ｂ）は、前記少なくとも１つの場所決定コンポーネントが、前記少なくとも１つの場所決定コンポーネントの場所に少なくとも部分的に基づいて前記ユーザデバイスの前記場所を決定することを含む、請求項１に記載の方法。
【請求項３】
前記動作（Ｂ）は、前記少なくとも１つの場所決定コンポーネントが、前記少なくとも１つの場所決定コンポーネントの前記場所において前記ユーザデバイスからの送信を受信することを含む、請求項２に記載の方法。
【請求項４】
前記送信は、前記ユーザデバイスと関連付けられた識別子を含む、請求項３に記載の方法。
【請求項５】
前記ユーザの前記経験は、前記ユーザがイベント設定でイベントを閲覧することを含み、および前記動作（Ｃ）は、前記イベントおよび／または前記イベント設定を表現する第２の情報の捕捉を開始することを含む、請求項１に記載の方法。
【請求項６】
前記第１の情報は、第１の有利な地点からの前記イベントおよび／または前記イベント設定を表現し、および前記動作（Ｃ）は、第２の有利な地点からの前記イベントおよび／または前記イベント設定を表現する第２の情報の捕捉を開始することを含む、請求項５に記載の方法。
【請求項７】
前記動作（Ｃ）は、前記イベントにおける前記ユーザを表現する第２の情報の捕捉を開始することを含む、請求項５に記載の方法。
【請求項８】
前記動作（Ａ）は、前記ユーザに関するバイオメトリックデータ、前記ユーザデバイスの周りの環境条件のインジケーション、およびソーシャルメディアプラットフォーム上の前記イベントに関連する論評の１つまたは複数を捕捉することを含む、請求項５に記載の方法。
【請求項９】
前記動作（Ａ）は、捕捉されている前記ユーザに関するバイオメトリック情報のインジケーションを受信することを含み、前記バイオメトリック情報は、前記ユーザの心拍数が特定の閾値レートに達したこと、前記ユーザの虹彩が閾値量だけ拡大したこと、前記ユーザの声が特定の音量および／またはピッチに達したこと、ならびに前記ユーザが特定のジェスチャまたは動きを実行したことの１つまたは複数を含む、請求項８に記載の方法。
【請求項１０】
前記動作（Ａ）は、前記ユーザデバイスの周りの環境条件のインジケーションを受信することを含み、前記環境条件は、前記ユーザデバイスの周りの騒音レベル、前記ユーザの閾値数の友人が前記ユーザデバイスの極めて近くにいること、特定の個人が前記ユーザデバイスの極めて近くにいること、および天候関連のイベントが前記ユーザデバイスの周りで起こっていることの１つまたは複数を含む、請求項８に記載の方法。
【請求項１１】
前記動作（Ｃ）は、前記ユーザの画像、映像および／もしくは音声、前記イベント、ならびに／または前記イベント設定の捕捉を開始することを含む、請求項８に記載の方法。
【請求項１２】
前記動作（Ｃ）は、前記少なくとも１つの情報捕捉コンポーネントにより、ワールドワイドウェブからの前記経験に関連する第２の情報の検索を開始することを含む、請求項１に記載の方法。
【請求項１３】
前記動作（Ｃ）は、前記ユーザ以外の個人によって操作される第２のユーザデバイスにより、前記第２の情報の捕捉を開始することを含む、請求項１に記載の方法。
【請求項１４】
前記動作（Ｃ）は、前記動作（Ａ）における前記インジケーションを受信することおよび／または前記動作（Ｂ）における前記場所を決定することに応答して実行される、請求項１に記載の方法。
【請求項１５】
前記動作（Ａ）は、前記ユーザデバイスへのユーザ入力に応答して前記第１の情報の捕捉のインジケーションを受信することを含む、請求項１に記載の方法。
【請求項１６】
前記ユーザ入力は、前記ユーザデバイス上のボタンを押すこと、前記ユーザデバイスの画面に触れること、前記ユーザデバイスのマイクロフォンまたはカメラによって検出された手をたたくこと、前記ユーザデバイスのマイクロフォンまたはカメラによって検出された指を鳴らすこと、前記ユーザデバイスのマイクロフォンまたはカメラによって検出された目を瞬きすること、および前記ユーザデバイスを保持している間に前記ユーザによって実行されたジェスチャを含む、請求項１５に記載の方法。
【請求項１７】
前記動作（Ａ）は、前記ユーザデバイス上で実行しているモジュールが、１つまたは複数のトリガ基準が満たされていると判断することに応答して、前記第１の情報の捕捉のインジケーションを受信することを含む、請求項１に記載の方法。
【請求項１８】
前記動作（Ｅ）は、前記ユーザ以外の個人に前記第１の情報および前記第２の情報へのアクセスを提供することを含む、請求項１に記載の方法。
【請求項１９】
前記個人は、前記ユーザにより、前記第１の情報および前記第２の情報へのアクセスを受信するように指定される、請求項１８に記載の方法。
【請求項２０】
前記動作（Ｅ）は、前記個人と前記ユーザとの関連性、前記経験、および／または前記場所を識別することに応答して自動的に前記個人にアクセスを提供することを含む、請求項１８に記載の方法。
【請求項２１】
前記動作（Ｅ）は、前記ユーザが前記第１の情報および前記第２の情報の配布を承認した後にのみ、前記個人にアクセスを提供することを含む、請求項１８に記載の方法。
【請求項２２】
前記第１の情報および前記第２の情報は、異なるメディアタイプを含み、前記動作（Ｅ）は、前記第１の情報および前記第２の情報を組み込むマルチメディアコンテンツへのアクセスを提供することを含む、請求項１に記載の方法。
【請求項２３】
符号化された命令を有する少なくとも１つのコンピュータ可読記憶媒体であって、前記命令は、ユーザデバイス、少なくとも１つの場所決定コンポーネント、前記ユーザデバイスとは別の少なくとも１つの情報捕捉コンポーネント、および少なくとも１つのブックマークサーバを含むシステムにおいて実行されると、
（Ａ）前記ユーザデバイスを介して、前記ユーザデバイスのユーザの経験に関連する第１の情報の捕捉のインジケーションを受信する動作と、
（Ｂ）前記インジケーションが受信される時間における前記ユーザデバイスの場所を決定する動作と、
（Ｃ）前記ユーザの前記経験に関連する、前記第１の情報と異なる第２の情報の捕捉を開始する動作と、
（Ｄ）前記第１の情報および前記第２の情報を格納する動作であって、前記第１の情報および前記第２の情報を前記ユーザ、前記経験、前記場所、および前記時間の少なくとも１つと関連付けることを含む、格納する動作と、
（Ｅ）前記ユーザの前記経験に関連する前記第１の情報および前記第２の情報へのアクセスを前記ユーザに提供する動作と
を含む方法を実行する、少なくとも１つのコンピュータ可読記憶媒体。
【請求項２４】
前記動作（Ｂ）は、前記少なくとも１つの場所決定コンポーネントの場所に少なくとも部分的に基づいて前記ユーザデバイスの前記場所を決定することを含む、請求項２３に記載の少なくとも１つのコンピュータ可読記憶媒体。
【請求項２５】
前記動作（Ｂ）は、前記少なくとも１つの場所決定コンポーネントが、前記少なくとも１つの場所決定コンポーネントの前記場所において前記ユーザデバイスからの送信を受信することを含む、請求項２４に記載の少なくとも１つのコンピュータ可読記憶媒体。
【請求項２６】
前記送信は、前記ユーザデバイスと関連付けられた識別子を含む、請求項２５に記載の少なくとも１つのコンピュータ可読記憶媒体。
【請求項２７】
前記ユーザの前記経験は、前記ユーザがイベント設定でイベントを閲覧することを含み、および前記動作（Ｃ）は、前記イベントおよび／または前記イベント設定を表現する第２の情報の捕捉を開始することを含む、請求項２３に記載の少なくとも１つのコンピュータ可読記憶媒体。
【請求項２８】
前記第１の情報は、第１の有利な地点からの前記イベントおよび／または前記イベント設定を表現し、および前記動作（Ｃ）は、第２の有利な地点からの前記イベントおよび／または前記イベント設定を表現する第２の情報の捕捉を開始することを含む、請求項２７に記載の少なくとも１つのコンピュータ可読記憶媒体。
【請求項２９】
前記動作（Ｃ）は、前記イベントにおける前記ユーザを表現する第２の情報の捕捉を開始することを含む、請求項２７に記載の少なくとも１つのコンピュータ可読記憶媒体。
【請求項３０】
前記動作（Ａ）は、前記ユーザに関するバイオメトリックデータ、前記ユーザデバイスの周りの環境条件のインジケーション、およびソーシャルメディアプラットフォーム上の前記イベントに関連する論評の１つまたは複数を捕捉することを含む、請求項２７に記載の少なくとも１つのコンピュータ可読記憶媒体。
【請求項３１】
前記動作（Ａ）は、捕捉されている前記ユーザに関するバイオメトリック情報のインジケーションを受信することを含み、前記バイオメトリック情報は、前記ユーザの心拍数が特定の閾値レートに達したこと、前記ユーザの虹彩が閾値量だけ拡大したこと、前記ユーザの声が特定の音量および／またはピッチに達したこと、ならびに前記ユーザが特定のジェスチャまたは動きを実行したことの１つまたは複数を含む、請求項３０に記載の少なくとも１つのコンピュータ可読記憶媒体。
【請求項３２】
前記動作（Ａ）は、前記ユーザデバイスの周りの環境条件のインジケーションを受信することを含み、前記環境条件は、前記ユーザデバイスの周りの騒音レベル、前記ユーザの閾値数の友人が前記ユーザデバイスの極めて近くにいること、特定の個人が前記ユーザデバイスの極めて近くにいること、および天候関連のイベントが前記ユーザデバイスの周りで起こっていることの１つまたは複数を含む、請求項３０に記載の少なくとも１つのコンピュータ可読記憶媒体。
【請求項３３】
前記動作（Ｃ）は、前記ユーザの画像、映像および／もしくは音声、前記イベント、ならびに／または前記イベント設定の捕捉を開始することを含む、請求項３０に記載の少なくとも１つのコンピュータ可読記憶媒体。
【請求項３４】
前記動作（Ｃ）は、ワールドワイドウェブからの前記経験に関連する第２の情報の検索を開始することを含む、請求項２３に記載の少なくとも１つのコンピュータ可読記憶媒体。
【請求項３５】
前記動作（Ｃ）は、前記ユーザ以外の個人によって操作される第２のユーザデバイスにより、前記第２の情報の捕捉を開始することを含む、請求項２３に記載の少なくとも１つのコンピュータ可読記憶媒体。
【請求項３６】
前記動作（Ｃ）は、前記動作（Ａ）における前記インジケーションを受信することおよび／または前記動作（Ｂ）における前記場所を決定することに応答して実行される、請求項２３に記載の少なくとも１つのコンピュータ可読記憶媒体。
【請求項３７】
前記動作（Ａ）は、前記ユーザデバイスへのユーザ入力に応答して前記第１の情報の捕捉のインジケーションを受信することを含む、請求項２３に記載の少なくとも１つのコンピュータ可読記憶媒体。
【請求項３８】
前記ユーザ入力は、前記ユーザデバイス上のボタンを押すこと、前記ユーザデバイスの画面に触れること、前記ユーザデバイスのマイクロフォンまたはカメラによって検出された手をたたくこと、前記ユーザデバイスのマイクロフォンまたはカメラによって検出された指を鳴らすこと、前記ユーザデバイスのマイクロフォンまたはカメラによって検出された目を瞬きすること、および前記ユーザデバイスを保持している間に前記ユーザによって実行されたジェスチャを含む、請求項３７に記載の少なくとも１つのコンピュータ可読記憶媒体。
【請求項３９】
前記動作（Ａ）は、前記ユーザデバイス上で実行しているモジュールが、１つまたは複数のトリガ基準が満たされていると判断することに応答して、前記第１の情報の捕捉のインジケーションを受信することを含む、請求項２３に記載の少なくとも１つのコンピュータ可読記憶媒体。
【請求項４０】
前記動作（Ｅ）は、前記ユーザ以外の個人に前記第１の情報および前記第２の情報へのアクセスを提供することを含む、請求項２３に記載の少なくとも１つのコンピュータ可読記憶媒体。
【請求項４１】
前記個人は、前記ユーザにより、前記第１の情報および前記第２の情報へのアクセスを受信するように指定される、請求項４０に記載の少なくとも１つのコンピュータ可読記憶媒体。
【請求項４２】
前記動作（Ｅ）は、前記個人と前記ユーザとの関連性、前記経験、および／または前記場所を識別することに応答して自動的に前記個人にアクセスを提供することを含む、請求項４０に記載の少なくとも１つのコンピュータ可読記憶媒体。
【請求項４３】
前記動作（Ｅ）は、前記ユーザが前記第１の情報および前記第２の情報の配布を承認した後にのみ、前記個人にアクセスを提供することを含む、請求項４０に記載の少なくとも１つのコンピュータ可読記憶媒体。
【請求項４４】
前記第１の情報および前記第２の情報は、異なるメディアタイプを含み、前記動作（Ｅ）は、前記第１の情報および前記第２の情報を組み込むマルチメディアコンテンツへのアクセスを提供することを含む、請求項２３に記載の少なくとも１つのコンピュータ可読記憶媒体。
【請求項４５】
ユーザによって操作されるユーザデバイスからの送信を受信するように構成された少なくとも１つの通信デバイスと、
情報を捕捉するように構成されている、前記ユーザデバイスとは別の少なくとも１つの情報捕捉デバイスと、
前記ユーザデバイスおよび前記少なくとも１つの情報捕捉デバイスによって捕捉された情報を格納し、かつそれへのアクセスを提供するように構成された少なくとも１つの記憶装置と、
符号化された命令を有する少なくとも１つのコンピュータ可読記憶媒体と、
少なくとも１つのコンピュータプロセッサであって、前記命令を介して、
前記少なくとも１つの通信デバイスを介して前記ユーザデバイスから、前記ユーザデバイスのユーザの経験に関連する第１の情報の捕捉のインジケーションを受信することと、
前記少なくとも１つの通信デバイスによって提供された情報に少なくとも部分的に基づいて、前記インジケーションが受信される時間における前記ユーザデバイスの場所を決定することと、
前記少なくとも１つの情報捕捉デバイスにより、前記ユーザの前記経験に関連する、前記第１の情報と異なる第２の情報の捕捉を開始することと、
前記第１の情報および前記第２の情報が前記少なくとも１つの記憶装置によって格納されるようにすることであって、前記格納することは、前記第１の情報および前記第２の情報を前記ユーザ、前記経験、前記場所、および前記時間の少なくとも１つと関連付けることを含む、格納されるようにすることと、
前記ユーザの前記経験に関連する前記第１の情報および前記第２の情報へのアクセスを前記ユーザに提供することを前記少なくとも１つの記憶装置に行わせることと
を行うようにプログラムされる、少なくとも１つのコンピュータプロセッサと
を含む、装置。
【請求項４６】
前記少なくとも１つのコンピュータプロセッサは、前記少なくとも１つの通信コンポーネントの既知の場所に少なくとも部分的に基づいて前記ユーザデバイスの前記場所を決定するようにプログラムされる、請求項４５に記載の装置。
【請求項４７】
前記少なくとも１つのコンピュータプロセッサは、前記少なくとも１つの通信デバイスが前記ユーザデバイスからの送信を受信する既知の場所に少なくとも部分的に基づいて前記ユーザデバイスの前記場所を決定するようにプログラムされる、請求項４６に記載の装置。
【請求項４８】
前記送信は、前記ユーザデバイスと関連付けられた識別子を含む、請求項４７に記載の装置。
【請求項４９】
前記ユーザの前記経験は、前記ユーザがイベント設定でイベントを閲覧することを含み、および前記少なくとも１つのコンピュータプロセッサは、前記少なくとも１つの情報捕捉デバイスにより、前記イベントおよび／または前記イベント設定を表現する第２の情報の捕捉を開始するようにプログラムされる、請求項４５に記載の装置。
【請求項５０】
前記第１の情報は、第１の有利な地点からの前記イベントおよび／または前記イベント設定を表現し、および前記少なくとも１つのコンピュータプロセッサは、前記少なくとも１つの情報捕捉デバイスにより、第２の有利な地点からの前記イベントおよび／または前記イベント設定を表現する第２の情報の捕捉を開始するようにプログラムされる、請求項４９に記載の装置。
【請求項５１】
前記少なくとも１つのコンピュータプロセッサは、前記少なくとも１つの情報捕捉デバイスにより、前記イベントにおける前記ユーザを表現する第２の情報の捕捉を開始するようにプログラムされる、請求項４９に記載の装置。
【請求項５２】
前記少なくとも１つのコンピュータプロセッサは、前記ユーザデバイスから、前記ユーザに関するバイオメトリックデータ、前記ユーザデバイスの周りの環境条件のインジケーション、およびソーシャルメディアプラットフォーム上の前記イベントに関連する論評の１つまたは複数の捕捉のインジケーションを受信するようにプログラムされる、請求項４９に記載の装置。
【請求項５３】
前記少なくとも１つのコンピュータプロセッサは、前記ユーザデバイスから、捕捉されている前記ユーザに関するバイオメトリック情報のインジケーションを受信するようにプログラムされ、前記バイオメトリック情報は、前記ユーザの心拍数が特定の閾値レートに達したこと、前記ユーザの虹彩が閾値量だけ拡大したこと、前記ユーザの声が特定の音量および／またはピッチに達したこと、ならびに前記ユーザが特定のジェスチャまたは動きを実行したことの１つまたは複数を含む、請求項５２に記載の装置。
【請求項５４】
前記少なくとも１つのコンピュータプロセッサは、前記ユーザデバイスから、前記ユーザデバイスの周りの環境条件のインジケーションを受信するようにプログラムされ、前記環境条件は、前記ユーザデバイスの周りの騒音レベル、前記ユーザの閾値数の友人が前記ユーザデバイスの極めて近くにいること、特定の個人が前記ユーザデバイスの極めて近くにいること、および天候関連のイベントが前記ユーザデバイスの周りで起こっていることの１つまたは複数を含む、請求項５２に記載の装置。
【請求項５５】
前記少なくとも１つのコンピュータプロセッサは、前記ユーザの画像、映像および／もしくは音声、前記イベント、ならびに／または前記イベント設定を含む第２の情報の捕捉を開始するようにプログラムされる、請求項５２に記載の装置。
【請求項５６】
前記少なくとも１つのコンピュータプロセッサは、前記少なくとも１つの情報捕捉デバイスにより、ワールドワイドウェブからの前記経験に関連する第２の情報の検索を開始するようにプログラムされる、請求項４５に記載の装置。
【請求項５７】
前記少なくとも１つのコンピュータプロセッサは、前記ユーザ以外の個人によって操作される第２のユーザデバイスを含む少なくとも１つの情報捕捉デバイスにより、前記第２の情報の捕捉を開始するようにプログラムされる、請求項４５に記載の装置。
【請求項５８】
前記少なくとも１つのコンピュータプロセッサは、前記少なくとも１つの情報捕捉デバイスにより、捕捉されている前記第１の情報の前記インジケーションを受信することおよび／または前記ユーザデバイスの前記場所を決定することに応答して前記第２の情報の捕捉を開始するようにプログラムされる、請求項４５に記載の装置。
【請求項５９】
前記少なくとも１つのコンピュータプロセッサは、前記ユーザデバイスにより、前記ユーザデバイスへのユーザ入力に応答して前記第１の情報の捕捉のインジケーションを受信するようにプログラムされる、請求項４５に記載の装置。
【請求項６０】
前記ユーザ入力は、前記ユーザデバイス上のボタンを押すこと、前記ユーザデバイスの画面に触れること、前記ユーザデバイスのマイクロフォンまたはカメラによって検出された手をたたくこと、前記ユーザデバイスのマイクロフォンまたはカメラによって検出された指を鳴らすこと、前記ユーザデバイスのマイクロフォンまたはカメラによって検出された目を瞬きすること、および前記ユーザデバイスを保持している間に前記ユーザによって実行されたジェスチャを含む、請求項５９に記載の装置。
【請求項６１】
前記少なくとも１つのコンピュータプロセッサは、前記ユーザデバイス上で実行しているモジュールが、１つまたは複数のトリガ基準が満たされていると判断することに応答して、前記第１の情報の前記捕捉の前記インジケーションを受信するようにプログラムされる、請求項４５に記載の装置。
【請求項６２】
前記少なくとも１つのコンピュータプロセッサは、前記ユーザ以外の個人に前記第１の情報および前記第２の情報へのアクセスを提供することを前記少なくとも１つの記憶装置に行わせるようにプログラムされる、請求項４５に記載の装置。
【請求項６３】
前記個人は、前記ユーザにより、前記第１の情報および前記第２の情報へのアクセスを受信するように指定される、請求項６２に記載の装置。
【請求項６４】
前記少なくとも１つのコンピュータプロセッサは、前記個人と前記ユーザとの関連性、前記経験、および／または前記場所を識別することに応答して自動的に前記個人にアクセスを提供することを前記少なくとも１つの記憶装置に行わせるようにプログラムされる、請求項６２に記載の装置。
【請求項６５】
前記少なくとも１つのコンピュータプロセッサは、前記ユーザが前記第１の情報および前記第２の情報の配布を承認した後にのみ、前記個人にアクセスを提供することを前記少なくとも１つの記憶装置に行わせるようにプログラムされる、請求項６２に記載の装置。
【請求項６６】
前記第１の情報および前記第２の情報は、異なるメディアタイプを含み、前記少なくとも１つのコンピュータプロセッサは、前記第１の情報および前記第２の情報を組み込むマルチメディアコンテンツへのアクセスを提供することを前記少なくとも１つの記憶装置に行わせるようにプログラムされる、請求項４５に記載の装置。
【発明の詳細な説明】
【背景技術】
【０００１】
コンテンツの半自動捕捉のための技法が知られている。例えば、スマートフォンのビューファインダ内で対象が良好にフレーム内に収まり、その焦点が合うようにユーザがスマートフォンの向きを合わせた際、半自動的に写真の捕捉を開始することにより、ドキュメントのような対象の高品質画像をユーザが捕捉できるようにするスマートフォンアプリが利用可能である。加えて、いくつかのウェアラブルデバイスは、ユーザが直接介入することなく、特定のタイプの情報の自動捕捉を可能にする。例えば、いくつかのウェアラブルデバイスは、着用者の心拍数、カロリー消費量および他のデータなどの情報を自動的に捕捉することができる。
【０００２】
各々がその全体において参照により本明細書に組み込まれる、２０１５年８月５日および２０１５年８月１３日にそれぞれ出願された、それぞれ出願番号第６２／２０１，３４０号および第６２／２０４，５１６号を有する「Methods and Apparatus For Creating An Individualized Record Of An Event」という名称の同一出願人による２つの米国仮特許出願は、イベントの特定の参加者に合わせて個別化されたイベントの記録を作成するために情報を捕捉する技法を開示している。例えば、‘３４０および‘５６１出願で開示されているいくつかの実施形態では、イベント中、参加者は、識別子（例えば、参加者および／またはウェアラブルデバイスに対するもの）を含むペイロードを定期的に送信するように構成されたウェアラブルデバイスを持ち運ぶことができる。ウェアラブルデバイスによる送信は、イベント会場内に位置する１つまたは複数の受信機コンポーネントによって受信することができる。イベント会場に配置された１つまたは複数のコンテンツ捕捉コンポーネント（例えば、対応する受信機コンポーネントと関連付けることができる）は、イベントが進行するにつれて、イベントおよび／または参加者に関連する情報（例えば、映像、音声、メタデータなど）を捕捉することができる。‘３４０および‘５６１出願で開示されているいくつかの実施形態では、時間経過に伴う各受信機コンポーネントの場所は知られており、従って、ウェアラブルデバイスからの送信の時間経過に伴う異なる受信機コンポーネントにおける受信は、イベント中の参加者の場所と、従ってイベントが起こった際に参加者がイベントを経験した有利な地点とのインジケーションを提供する。時間経過に伴う参加者の場所は、参加者に合わせて個別化されたイベントの記録を作成するために、対応する時間帯中に異なる場所で情報捕捉コンポーネントによって捕捉された情報と相関させることができる。次いで、この個別化された記録は、ワールドワイドウェブを介してなど、多くの形態のいずれかで参加者および他者が利用できるようにされ得る。
【発明の概要】
【０００３】
本発明のいくつかの実施形態は、ユーザが多くの情報捕捉コンポーネントおよび／またはデバイスのいずれかを使用して、ユーザの人生において忘れられない瞬間に関する情報を記録および「ブックマーク」できるようにする技法を提供するため、‘３４０および‘５６１出願で開示されている技法から発展する。例えば、本発明のいくつかの実施形態は、１つもしくは複数の基準が満たされていることに応答して自動的に、ユーザ入力が受信されていることに応答して、および／または自動技法と手動技法との組合せを使用して、情報捕捉のトリガを提供することができる。ユーザおよび／もしくは経験の映像、音声および／もしくは写真、経験の様々な態様を説明するメタデータ、ユーザが読んでいるおよび／もしくはイベントに関連するウェブページ、経験中にユーザの近くにいる友人および同僚のインジケーション、ならびに／または任意の他の適切な情報など、適切ないかなるタイプの情報も捕捉することができる。情報は、ユーザと関連付けられた（例えば、ユーザが着用または操作する）デバイスもしくはコンポーネントにより、および／または任意の他の適切なデバイスもしくはコンポーネント（例えば、同僚が着用または操作するデバイスまたはコンポーネント、スタンドアロンデバイスまたはコンポーネント（例えば、この目的のために構成されたビデオカメラまたはマイクロフォン）、公的に利用可能なデータへのアクセスを得るように設計されたデバイスまたはコンポーネント（例えば、ワールドワイドウェブ上でアクセス可能なサイトへのアクセスを有するクローラコンポーネント）など）により捕捉することができる。
【０００４】
本発明のいくつかの実施形態では、情報捕捉が開始される時間のユーザの場所は、多くの技法をいずれかを使用して決定および記録することができ、捕捉情報を経験と相関させるために使用することができる。捕捉されたいかなる情報も、統合して、ユーザ、ユーザの友人および同僚ならびに／または任意の他の適切な個人がアクセスできるようにされ得る（ワールドワイドウェブを介してなど、多くの形態のいずれかで）。さらに、あるユーザの経験に関連して捕捉された情報は、共有経験を作りかつ社会的つながりを深めるために、他のユーザの経験に関連する対応する情報と関連付け、関連付けられたすべてのユーザがアクセスできるようにされ得る。従って、本発明のいくつかの実施形態は、ユーザが重要な人生経験を「ブックマーク」し、それらの経験に関連する情報の記録を維持し、かつユーザの人生において重要な人々とその情報を共有できるようにし得る。
【０００５】
前述は、本発明の特定の態様のみの非限定的な概要である。本発明のいくつかの実施形態について以下でさらに詳細に説明する。
【０００６】
添付の図面は、原寸に比例することを意図しない。図面では、様々な図に示される同一またはほぼ同一のコンポーネントの各々は同様の番号で表される。明確にするため、すべての図面においてすべてのコンポーネントがラベル付けされるとは限らない。
【図面の簡単な説明】
【０００７】
【図１】本発明のいくつかの実施形態による、情報を捕捉し、前記情報を個々のユーザの経験と相関させるための代表的なシステムのコンポーネントを表現するブロック図である。
【図２】本発明のいくつかの実施形態による、コンポーネントまたはデバイスがそれによって情報の捕捉を開始することができる代表的なプロセスを表現するフローチャートである。
【図３】本発明のいくつかの実施形態による、特定のイベント、ユーザ、場所、および／または時間と捕捉情報とをそれによって相関させることができる代表的なプロセスを表現するフローチャートである。
【図４】本発明のいくつかの実施形態による、１人または複数のユーザの経験に関連する情報の主部を表示する代表的な方法を表現する。
【図５】本発明の特定の態様を実装するために使用することができる代表的なコンピュータシステムを表現するブロック図である。
【発明を実施するための形態】
【０００８】
本発明のいくつかの実施形態は、ユーザが重要なまたは忘れられない経験に関連する情報を捕捉、記録および共有できるようにするための技法を対象とする。本発明のいくつかの実施形態によれば、経験に関連する情報の捕捉は、自動的に（例えば、１つまたは複数の事前に定義された基準が満たされていることに応答してなど、プログラムされた命令の実行を介して）、手動で（例えば、ユーザ入力に応答して）、および／または自動技法と手動技法との何らかの組合せを使用して開始され得る。経験に関連して捕捉される情報は、適切ないかなるタイプのものでもよい。その例は、これらに限定されないが、ユーザおよび／または経験の映像、音声および／または写真、経験の様々な態様を説明するメタデータ（例えば、ユーザの心理状態または感情状態を示すバイオメトリックデータ、音レベル、天候などの環境条件を説明する情報など）、ワールドワイドウェブを介してアクセス可能であり、次いでユーザが作成しているかもしくは読んでいる情報および／またはイベントに関連する情報、経験中にユーザの近くにいる友人および同僚のインジケーション、ならびに／あるいは任意の他の適切な情報を含む。情報は、ユーザと関連付けられた（例えば、ユーザが着用または操作する）もの、ユーザの友人または他の個人と関連付けられたもの、スタンドアロンデバイスまたはコンポーネントなど、適切ないかなるデバイスまたはコンポーネントによっても捕捉することができる。経験時のユーザの場所は、適切ないかなる様式でも決定され得かつ次いで記録され得、捕捉情報を経験と相関させるために使用され得る。記録情報は、ワールドワイドウェブを介してアクセスされたインタフェースを通じてなど、多くの形態のいずれかでユーザおよび／または他者がアクセスできるようにされ得る。あるユーザの経験に関連する情報は、ユーザ間で共有経験を作りかつ社会的つながりを深めるために、他のユーザの経験に関連する対応する情報と関連付け、関連付けられたすべてのユーザがアクセスできるようにされ得る。従って、ユーザは、重要なまたは忘れられない人生経験を「ブックマーク」し、それらの経験に関連する情報の記録を維持し、かつ他者とその情報を共有することができる。
【０００９】
図１は、ユーザの経験に関連する情報を捕捉して記録するための代表的なシステム１００を表現する。代表的なシステム１００は、ユーザデバイス１１０、場所決定コンポーネント１２０、情報捕捉コンポーネント１３０およびブックマークサーバ１４０を含み、それらのいずれかまたはすべては、ネットワーク１５０を介して通信することができる。
【００１０】
各ユーザデバイス１１０は、ユーザが操作するか、着用するか、保持するか、運ぶか、または持ち運ぶことができるいかなるデバイスまたはコンポーネントも含み得る。例えば、各ユーザデバイス１１０は、スマートフォン、タブレットデバイス、音楽プレーヤ、ゲーム機、セットトップボックス、インダッシュコンソール、ウェアラブルデバイス（例えば、リストバンド、帽子、ネックレス、バッジ、メダル、眼鏡、ボールなど）および／または任意の他の適切なデバイスもしくはコンポーネントなどのモバイルデバイスを含み得る。図１には示されていないが、各ユーザデバイス１１０は、プロセッサによる実行のためのプログラム命令を格納するメモリと連通するプロセッサ、ユーザ入力コンポーネント、送信機および／または受信機を含み得る。しかし、ユーザデバイス１１０は、そのようなコンポーネントを含まなければならないわけではない。例えば、ウェアラブルユーザデバイス１１０は、別個のプロセッサおよびメモリを含まない無線自動識別（ＲＦＩＤ）タグ（いわゆる「受動」または「能動」タグであり得る）を含み得る。ユーザデバイス１１０がそのようなコンポーネントを含むかどうかにかかわらず、ユーザデバイス１１０は、ユーザの経験に関連する多くのタイプの情報のいずれかを捕捉するように構成することができる。例えば、ユーザデバイス１１０は、音、映像、写真もしくは他の画像、テキスト（例えば、ネットワーク上でユーザデバイスに供給されるスケジューリング情報、ユーザによって供給される経験の説明など）、バイオメトリック情報（例えば、ユーザの身体活動および／または生理学上の特性に関する）、１つもしくは複数のデバイスで受信されているユーザ入力に関する情報、および／または任意の他のタイプの情報を捕捉するように構成することができる。
【００１１】
各場所決定コンポーネント１２０は、時間経過に伴うユーザデバイス１１０の場所を決定および／または記録するように適切に構成されたデバイスを含み得る。特定の時間におけるユーザデバイス１１０の場所を決定するため、適切ないかなる技法も使用することができ、従って、多くの異なるタイプの場所決定コンポーネントのいずれかを採用することができる。上記で言及される‘３４０および‘５１６出願で説明された代表的な技法の１つは、識別子を含む送信ペイロードをユーザデバイス１１０から既知の場所において受信する場所決定コンポーネントに関与する。ペイロードが受信される場所は知られているため、送信が受信された際のユーザデバイス１１０の場所を近似することができる。複数の場所決定コンポーネントが特定のユーザデバイスからの送信を受信する場合、各場所決定コンポーネントによって受信された送信の信号強度は、受信された時点でのユーザデバイス１１０の場所を近似するため、ペイロードが受信された際にいずれの場所決定コンポーネントがユーザデバイスに最も近いかを示すことができる。
【００１２】
‘３４０および‘５１６出願で示されるように、ユーザデバイス１１０は、適切な任意の通信技法および／またはプロトコルを使用してペイロードを送信することができる。例えば、いくつかの実施形態では、送信は、無線周波数、赤外線および／または任意の他の適切な送信タイプを使用して遂行することができる。さらに、ユーザデバイス１１０は、自律的に（例えば、既定の周期性またはスケジュールに従って）、および／または１つもしくは複数のトリガ事象（例えば、場所決定コンポーネント１２０から受信されている信号、ユーザデバイス１１０に供給されているユーザ入力、および／または任意の他の適切なトリガ事象に応答して）に応答して情報を送信することができる。
【００１３】
当然ながら、特定の時間におけるユーザデバイス１１０の場所を決定するために適切ないかなる技法も使用することができるため、場所決定コンポーネント１２０は、ユーザデバイスからの送信を受信した際、それ自体の（すなわち、場所決定コンポーネントの）場所に基づいてまたは任意の他のコンポーネントの場所に基づいてユーザデバイス１１０の場所を決定しなければならないわけではないことを理解すべきである。例えば、特定の時間におけるユーザデバイスの場所は、全地球測位システム（ＧＰＳ）技法、三角測量もしくは三辺測量（例えば、セルネットワークタワーを使用）を使用して、ユーザデバイスと１つもしくは複数のネットワーク接続コンポーネント（例えば、ルータ、ビーコンなど）との間の接続に基づいて、ユーザデバイス１１０が対をなすか（例えば、先行技法のいずれか１つまたは複数を使用して決定される）、もしくはそうでなければ連通するデバイス（例えば、スマートフォンまたは他のモバイルデバイス）の場所に基づいて、先行技法の任意の組合せで、かつ／または任意の他の適切なユーザデバイス１１０の場所を決定するための方法で決定することができる。
【００１４】
各情報捕捉コンポーネント１３０は、ユーザ経験に関連する情報を捕捉するように構成することができる。各コンポーネント１３０によって捕捉される情報は、適切ないかなるタイプのものでもよい。例えば、情報捕捉コンポーネント１３０は、コンポーネントの環境もしくは設定の音、映像および／もしくは画像、ユーザの心理状態もしくは感情状態を示す情報、ワールドワイドウェブを介してアクセス可能な情報、ならびに／または任意の他の適切なタイプの情報を捕捉するように構成することができる。
【００１５】
本発明のいくつかの実施形態では、情報捕捉コンポーネント１３０は、ユーザデバイス１１０によって捕捉された情報に対する文脈の補強、増大および提供を行えるようになど、ユーザデバイス１１０によって提供される機能に相補的な機能を提供するように設計することができる。例えば、情報を捕捉する経験が、ユーザが参加者であるコンサートである場合、ユーザによって操作されるユーザデバイス１１０は、ユーザの視点からコンサートの映像を捕捉するスマートフォンであり、次いで、情報捕捉コンポーネント１３０は、異なる有利な地点からコンサートのビデオ映像を捕捉するか、またはコンサート中の特定の時間にユーザがダンスをしている、歌っている、およびユーザの周りの人々と交流している様子を表現するスタンドアロンビデオカメラであり得る。本発明はこの点において限定されないため、多くのタイプの情報のいずれかを捕捉するために、多くのタイプの情報捕捉コンポーネント１３０のいずれかを採用することができる。
【００１６】
ユーザデバイスによって捕捉された情報に相補的な情報を捕捉するように設計された情報捕捉コンポーネント１３０は、例えば、スタンドアロンコンポーネント（例えば、デバイス）であっても、または１つもしくは複数の他のコンポーネントと統合されてもよく、不動式、可動式またはその両方（例えば、特定の場所に固定されていない場合には断続的に可動式）であり得る。不動式の場合、コンポーネント１３０は、街角、イベント会場内（例えば、スタンド、エントリポイントなどに取り付けられる）、レクリエーション空間など、適切ないかなる場所にも固定することができる。可動式の場合、コンポーネント１３０は、人間（例えば、写真家、エンタテイナなど）および／または機械コンポーネント（例えば、モバイルカート、その場所の上方にぶらさがった輸送装置など）によって持ち運ぶことができる。
【００１７】
当然ながら、情報捕捉コンポーネント１３０は、物理的設定を表現または説明するコンテンツを捕捉するように構成しなければならないわけではない。例えば、情報捕捉コンポーネント１３０は、ワールドワイドウェブを介してアクセス可能な１つまたは複数のサイトからコンテンツを検索するように構成されたウェブクローラを含み得る。例えば、情報を捕捉する経験がユーザと有名人との偶然の出会いである場合、ウェブクローラは、ユーザによってそのデバイスを用いて捕捉された他の情報に対する文脈の補完または提供を行えるようになど、ウェブ上の１つまたは複数のサイトから有名人に関する情報を検索することができる。検索した情報は、例えば、後に、ユーザのデバイスおよび／または１つもしくは複数の他のコンポーネントによって捕捉された情報と関連付けることができる（例えば、以下で説明される技法を使用して）。本発明はこの点において限定されないため、適切な任意のコンポーネントにより、適切ないかなるタイプの情報も捕捉または検索することができる。
【００１８】
各ブックマークサーバ１４０は、上記で説明されるコンポーネントのいずれか１つまたは複数によって捕捉されたユーザ経験に関する情報を格納および検索するために、情報リポジトリ１４５にアクセスするように適切に構成されたデバイスを含み得る。いくつかの実施形態では、ブックマークサーバ１４０は、個々のユーザ経験に関連する情報を場所および時間と関連付けるために、ユーザデバイス１１０および情報捕捉コンポーネント１３０から受信された情報を場所決定コンポーネント１２０から受信された情報と相関させることができる。
【００１９】
これは、多くの方法のいずれかで遂行され得る。いくつかの実施形態では、特定のユーザと関連付けられた１つまたは複数のユーザデバイス１１０から受信された情報の様々なアイテムの各々は、アイテムが作成、受信および／または検索された時間を示すタイムスタンプを含み得、この時間インジケーションは、各アイテムが作成、受信および／または検索された時間にユーザがどこに位置していたかを決定するため、場所決定コンポーネント１２０によって提供された異なる時間におけるユーザの場所のインジケーションと比較することができる。次いで、このユーザ／時間／場所インジケーションを使用して、１つまたは複数の情報捕捉コンポーネント１３０によって捕捉された対応する情報を識別することができる。
【００２０】
例として、ユーザのスマートフォンによって自動的に捕捉されたサッカーの試合中のゴールの映像は、タイムスタンプを含み得、タイムスタンプは、得点が入った際にユーザがスタジアムのどこに座っていたかを決定するために、時間経過に伴うユーザの場所を説明するデータと整合させることができる。次いで、この情報を使用して、スタジアムにおいて別のカメラによって捕捉された映像（例えば、別の有利な地点からのゴール、ユーザが座っていたスタジアムのセクションにおける観衆の他のメンバーからの反応などを示す）、報道関係者席のマイクロフォンによって捕捉されたアナウンサーの得点獲得の叫び声の音の記録、得点獲得の結果として試合および／もしくは選手に関連するウェブから検索された最新の統計、世界中から試合を観戦している他のファンの反応を説明する情報、得点が入る前および入った後のスタジアムの音レベルに関する情報、ならびに／または任意の他の適切な情報など、同じ場所および時間におけるイベントを説明する様々なコンポーネントによって捕捉された対応する情報を識別することができる。当然ながら、適切ないかなる技法も採用することができるため、本発明は、上記で説明される方法で、ユーザデバイス１１０および情報捕捉コンポーネント１３０から受信された情報を場所決定コンポーネント１２０から受信された情報と相関させることに限定されないことを理解すべきである。
【００２１】
また、特定の時間におけるユーザの「場所」は、適切ないかなるレベルの粒度でも定義できることも理解すべきである。例えば、同じ会場（例えば、同じサッカースタジアム、同じ街角、同じ海浜、同じ博物館など）、同じ都市エリア（例えば、Harlem、同じスキーリゾート、Las Vegas Stripなど）、同じ都市、州、県、国、大陸、半球などで起こっているイベントに関連する両方のコンポーネントからの情報に基づいて、特定のユーザデバイス１１０から受信された情報は、情報捕捉コンポーネント１３０から受信された情報（および／または別のユーザデバイス１１０から受信された情報）と相関させることができる。本発明は、特定の方法でユーザの「場所」を定義することに限定されない。
【００２２】
さらに、本明細書で説明される本発明のいくつかの実施形態は、同じ場所で起こっているイベントに関連する情報に基づいて、異なるコンポーネントから受信された情報を相関させることができるが、本発明のすべての実施形態が場所に基づいて情報を相関させることに限定されるわけではないことを理解すべきである。例えば、様々なコンポーネントから受信された情報は、同じもしくは同様のイベント、または同様の設定で、同様の環境条件で、同様の活動中に起こるイベントなどに関連する情報に基づいてなど、適切ないかなる特性に基づいても相関させることができる。例えば、特定のユーザデバイス１１０から受信された情報は、同じイベントに関連する情報（例えば、各ユーザが異なる物理的場所からイベントを経験している間の）、水中で起こっているイベントに関連する情報（例えば、各ユーザが異なる海で泳いでいる間の）、外で雪が降っている間の情報（例えば、世界の異なる地域のユーザが両方とも雪だるまを作っている際の）、台所での情報（例えば、異なる場所にいるユーザの各々が特定の料理を作っている間の）など、両方のデバイスからの情報に基づいて、別のユーザデバイス１１０から受信された情報と相関させることができる。本発明は、この目的のために場所情報のみを使用することに限定されないため、適切ないかなるイベント特性も、あるコンポーネントから受信された情報を別のコンポーネントから受信された情報と相関させるために使用することができる。
【００２３】
代表的なシステム１００では、ユーザデバイス１１０、場所決定コンポーネント１２０、情報捕捉コンポーネント１３０およびブックマークサーバ１４０は、ネットワーク１５０を介して通信し、ネットワーク１５０は、適切ないかなる通信インフラも含み得、適切な任意の通信プロトコルおよび／または技法を使用して通信を可能にする。例えば、１つまたは複数のネットワーク１５０は、無線および／または有線通信を可能にすることができ、適切なトポロジで配列された適切ないかなるコンポーネントも含み得る。
【００２４】
加えて、ユーザデバイス１１０、場所決定コンポーネント１２０、情報捕捉コンポーネント１３０およびブックマークサーバ１４０のいずれか１つまたは複数は、ネットワーク１５０を介して実質的に継続的にまたは断続的に通信することができる。例えば、情報（例えば、特定の量の情報、特定のタイプの情報など）が捕捉された後などに、情報捕捉コンポーネント１３０は、ネットワーク１５０に継続的に接続するのではなく、むしろ断続的に接続することができる。接続され次第、情報捕捉コンポーネント１３０によって捕捉されたいかなる情報も、ブックマークサーバ１４０により、他のデバイスによって捕捉された情報と同期させることができる（例えば、コンテンツが捕捉された時間のインジケーションを使用して）。
【００２５】
本発明のいくつかの実施形態は、ユーザ経験に関連する情報を捕捉するための異なる手法を提供することができる。例えば、一手法によれば、経験に関連する情報の捕捉は、１つまたは複数の「トリガ基準」が満たされていることに応答して開始することができる。この手法を採用する実施形態では、情報捕捉は、自動的に（例えば、１つまたは複数の事前に定義された基準が満たされていることに応答してなど、プログラムされた命令の実行を介して）、手動で（例えば、ユーザ入力に応答して）、および／または自動技法と手動技法との何らかの組合せを使用して開始され得る。
【００２６】
別の手法によれば、本発明のいくつかの実施形態は、そのようなトリガ基準が満たされていることに応答して情報を捕捉するというより、むしろ実質的に継続的に情報を捕捉し、次いで「事後」に特定のイベント、ユーザ、場所および／または時間と捕捉情報を相関させる（例えば、図３を参照して以下で説明される技法を使用して）ためのコンポーネントを提供することができる。事後にイベント、ユーザ、場所および／または時間と捕捉情報を相関させることが望ましい理由の１つは、トリガ基準が満たされているかどうかを判断するために評価され得る情報に常にアクセスできるわけではないためである。例えば、ユーザが着用しているデバイスによって特定のバイオメトリックデータが検出された際にコンテンツの捕捉を開始するようにスタンドアロンコンポーネントがプログラムされているが、バイオメトリックデータが検出される時間にデバイスとの通信が妨害されている場合、スタンドアロンコンポーネントは、デバイスとの通信が回復されるまでコンテンツの捕捉を開始することができず、通信が回復されるのは、経験の一部分が既に過ぎ去った後になる恐れがある。事後に捕捉情報を相関させることが望ましい別の理由は、いくつかの状況では、経験に関連するすべての所望の情報を捕捉するために、トリガ基準が満たされていると判断した後に十分迅速に情報捕捉を開始することが難しいかまたは不可能であるためである。一例として、特定のデータがデバイスによって検出されていることに応答して情報捕捉が開始される場合、いくつかのデバイスは、捕捉予定の経験に関連するすべての所望の情報を検出した後に十分迅速にデータを提供できない場合がある。別の例として、ユーザがソーシャルメディア上で経験についての肯定的なコメントを投稿した場合に経験に関する情報が捕捉される場合、そのようなコメントが投稿された後にのみ行われる情報捕捉の開始は、経験についての特定の情報（すなわち、ユーザの投稿以前の）の省略を招く恐れがある。
【００２７】
従って、本発明のいくつかの実施形態は、特定の時間におけるユーザのバイオメトリックデータ、ソーシャルメディア論評などが関連経験に関する情報を保存すべきであることを示すという決定（例えば）が後に行われた場合、経験に関連する望ましい情報のすべてを維持することおよび使用のために検索することができるように、実質的に継続的に情報を捕捉および格納するための様々なデバイスおよびコンポーネントを提供することができる。
【００２８】
当然ながら、本発明のいくつかの実施形態は、両方の手法を同時に採用すること（例えば、トリガ基準が満たされていることに応答していくつかのコンポーネントによって情報捕捉を開始し、他のコンポーネントが実質的に継続的に情報を捕捉できるように提供すること）、いくつかの状況において一方の手法を使用し、他の状況において他方の手法を使用すること、またはそうでなければ様々な状況において両方の手法を採用することができるため、上記で説明される２つの手法は、相互排他的に採用しなければならないわけではないことを理解すべきである。また、個々のシステムコンポーネントの各々は、情報を捕捉するための複数の手法を採用できることも理解すべきである。例えば、スタンドアロンビデオカメラは、映像コンテンツを実質的に継続的に記録することができるが、音声コンテンツの記録の開始は、特定のトリガ基準が満たされていることに応答してのみ行われる（またはその逆も同様）。加えて、本発明は、適切な任意の方法で適切ないかなる手法も採用できるため、上記で説明される情報捕捉のための２つの手法のみを採用することに限定されないことを理解すべきである。
【００２９】
図２は、１つまたは複数のトリガ基準が満たされていると判断され次第、情報捕捉がそれによって開始される、上記で説明される手法を採用した代表的なプロセス２００を表現する。代表的なプロセス２００の開始時、動作２１０では、情報捕捉をトリガするための１つまたは複数の基準が満たされているかどうかの判断が行われる。多くの基準のいずれかをこの目的のために評価することができ、従って、そのような基準が満たされているかどうかの判断も、多くの方法のいずれかで行うことができる。例えば、情報捕捉をトリガするための代表的な基準は、ボタンを押すこと、画面に触れること、手をたたくこと、指を鳴らすこと、目を瞬きすること、特定のジェスチャ、振動などを介してなど、ユーザ入力が受信されていることであり得る。適切ないかなる形態のユーザ入力も、情報捕捉を開始するという決定をもたらし得る。
【００３０】
いくつかの基準は、ユーザからの肯定的な入力の受信を伴わない場合がある。例えば、いくつかの実施形態では、情報捕捉をトリガするための基準は、特定の特性を有するバイオメトリック情報の検出（例えば、ユーザが持ち運んだウェアラブルデバイスによる）を含み得る。一例として、ユーザの心拍数が特定の閾値レートに達したことを示す（例えば、ユーザが興奮していることを示す）情報は、その効果に対する肯定的なユーザ入力がない場合でも情報捕捉を開始するという決定をトリガし得る。他の例として、ユーザの虹彩が拡大したこと、ユーザの声が特定の音量および／またはピッチに達したこと、ユーザが特定のジェスチャまたは動きを実行したこと、ユーザが運動中であり特定の速度または加速度に達したことなどを示す情報は、情報捕捉を開始するという決定をトリガし得る。当然ながら、他の多くのいかなるタイプの情報も情報捕捉を開始するという決定をトリガすることができるため、情報のトリガは、ユーザを説明する情報に限定されない。いくつかの例は、ユーザの周りの騒音レベルが特定の閾値を超えたというインジケーション、閾値数の友人が極めて近くにいるというインジケーション、特定の個人が極めて近くにいるというインジケーション、環境条件が特定の特性を有するというインジケーション、重要なニュースイベントが進行中であるというインジケーションなどを含む。適切ないかなるタイプの情報の検出または受信も、情報捕捉を開始するという動作２１０における決定に貢献し得る。
【００３１】
動作２１０において、情報捕捉をトリガするための基準が満たされていないと判断された場合、動作２１０が繰り返される。従って、代表的なプロセス２００は、情報捕捉を開始するという判断が行われた場合にのみ動作２２０に進む。
【００３２】
動作２２０では、情報捕捉が開始される。この情報捕捉は、ユーザデバイス１１０および／または情報捕捉コンポーネント１３０（図１）によってなど、多くの異なるコンポーネントのいずれかにより、多くの方法のいずれかで実行することができる。例えば、カメラコンポーネントは、場面の映像の捕捉を開始するように指示を受けることができ、マイクロフォンコンポーネントは、音声記録の捕捉を開始するように指示を受けることができ、心拍数センサは、ユーザの心拍数の捕捉を開始するように指示を受けることができ、通信コンポーネントは、友人または他の個人が近くにいるかどうかを判断するように指示を受けることができるなどである。
【００３３】
動作２２０は、適切な任意の数のコンポーネントによって情報捕捉を開始することを伴い得る。例えば、ユーザによって操作されるスマートフォンのカメラコンポーネントおよびスタンドアロンカメラは両方とも、後に同期させることができる特定の場面を説明する異なるコンテンツの主部を作成するためになど、映像の捕捉を同時に開始するように指示を受けることができる。別の例として、異なるユーザによって操作される異なるスマートフォンのカメラコンポーネントは、経験を共有する異なるグループメンバーを表現するためになど、複数の有利な地点から場面を捕捉するためになど、画像の捕捉を同時に開始するように指示を受けることができる。適切ないかなる数およびタイプのコンポーネントもコンテンツの捕捉を開始することができる。
【００３４】
次いで、代表的なプロセス２００は動作２３０に進み、動作２３０では、動作２２０で捕捉されたいかなる情報も記録することができる。これも多くの方法のいずれかで実行され得る。いくつかの実施形態では、動作２２０でコンテンツを捕捉したデバイスは、情報リポジトリ１４５における記録のためにブックマークサーバ１４０に情報を伝達することができる。格納のための情報の伝達は、情報が捕捉され次第またはある遅延後に起こり得る。次いで、代表的なプロセス２００は完了する。
【００３５】
図３は、特定のイベント、ユーザ、場所および／または時間に関連してなど、異なるコンポーネントから受信された情報をそれによって相関させることができる代表的なプロセス３００を表現する。本発明のいくつかの実施形態では、情報の異なるアイテムを相関させることにより、ユーザが特定の経験に関連して収集される情報のすべてにアクセスすること、および／または複数のユーザが経験に関連する情報を共有することができる。
【００３６】
代表的なプロセス３００の開始時、動作３１０では、経験に関連して捕捉されているいかなる情報も受信される。図１に関連して上記で示されるように、いくつかの実施形態では、１つまたは複数のユーザデバイス１１０、場所決定コンポーネント１２０および／または情報捕捉コンポーネント１３０によって捕捉された情報のアイテムは、１つまたは複数のブックマークサーバ１４０によって受信することができ、従って、動作３１０は、ブックマークサーバによって実行することができる。しかし、適切ないかなるコンポーネントも捕捉情報を受信することおよび／または以下で説明される相関ステップのいずれかもしくはすべてを実行することができるため、本発明は、そのような実装形態に限定されない。
【００３７】
次いで、代表的なプロセス３００は動作３２０に進み、動作３２０では、動作３１０で受信された情報のアイテムが特定のイベント、ユーザ、時間および／または場所と相関される。これは、多くの方法のいずれかで実行することができる。本発明のいくつかの実施形態では、動作３１０で受信された特定の情報のアイテムは、ユーザと関連付けられているものとして知られているデバイスによって捕捉されている情報のアイテムに少なくとも部分的に基づいて、特定のユーザと相関させることができる。例えば、特定のユーザが操作しているものとして知られている特定のユーザデバイス１１０から受信された情報のアイテムは、そのユーザと自動的に関連付けることができる。
【００３８】
情報のアイテムは、例えば、アイテムに含まれる時間情報および／またはアイテムと共に受信される時間情報に基づいて特定の時間と相関させることができる。例えば、本発明のいくつかの実施形態では、ユーザデバイス１１０によって捕捉された情報のアイテムは、アイテムと関連付けられた時間を示すタイムスタンプを含み得る。本発明のいくつかの実施形態では、指示された時間は、アイテムが、捕捉された時間（例えば、ユーザデバイス１１０または情報捕捉コンポーネント１３０によって）、受信された時間（例えば、ユーザデバイス１１０または情報捕捉コンポーネント１３０からブックマークサーバによって）および／または検索された時間（例えば、ウェブのサイトから情報捕捉コンポーネント１３０によって）を反映し得る。しかし、本発明はこの点において限定されないため、時間インジケーションは適切ないかなる時間も反映し得ることを理解すべきである。
【００３９】
情報のアイテムは、多くの異なる方法のいずれかで特定の場所と相関させることができる。一例として、アイテムは、その時間におけるユーザの場所が知られている際、特定のユーザおよび時間と関連付けられているアイテムに基づいて特定の場所と相関させることができる。例えば、特定のユーザと関連付けられたデバイスにより、特定の時間にコンテンツの特定のアイテムが作成されたというインジケーションは、アイテムが作成された場所を識別するために、特定の時間におけるユーザのデバイスの場所を示す情報（例えば、場所決定コンポーネント１２０によって提供される）と相互参照することができる。別の例として、情報のアイテムは、経度および／もしくは緯度情報、またはアイテムと相関させる場所を識別するために全地球測位システムによって使用可能な他の情報などの情報と共に含まれるデータに基づいて、特定の場所と相関させることができる。さらなる別の例として、情報のアイテムは、既知の場所におけるコンポーネントによって捕捉されているアイテムに基づいて特定の場所と相関させることができる。例えば、固定された場所におけるコンポーネント（例えば、据え付けられたスタンドアロンビデオカメラ）によって捕捉されたアイテムは、その場所と自動的に相関させることができる。
【００４０】
また、情報のアイテムは、多くの方法のいずれかで特定のイベントと相関させることもできる。例えば、アイテムをイベントと関連付けられているものとして知られている特定の場所（例えば、イベント会場の場所、遠方で人々がイベントを経験した場所）と相関させることも（例えば、上記で説明される技法を使用して）、または情報のアイテムがイベントを識別することもできる（例えば、アイテムは、イベントを命名したワールドワイドウェブから検索されたアイテムであり得る）。多くの技法のいずれも情報のアイテムをイベントと相関させるために使用することができる。
【００４１】
当然ながら、情報のアイテムを特定のイベント、ユーザ、場所および／または時間と相関させた時点で、情報のアイテムは、情報の統合、アクセスおよび共有を可能にするために相互参照することができる。例えば、すべてが特定のイベントと相関された異なるソースからの様々な情報のアイテムは、例えば、イベントと関わりがある異なるユーザが情報にアクセスできるようにするために（例えば、イベント自体に対する好みの表現、特定のタイプのイベント、イベントの出演者などに基づいて）統合することができる。特定のユーザと相関された情報のアイテムは、例えば、そのユーザと関わりがある他のユーザ（例えば、「友人」、家族など）が情報にアクセスできるようにするために統合することができる。特定の場所および時間と相関された情報のアイテムは、例えば、特定の場所と関わりがあるユーザ（例えば、その場所またはその場所の近くに住むユーザ、その場所の近くで育ったユーザなど）および／または特定の時間に特定の場所で起こったものと関わりがあるユーザ（例えば、特定の時間に特定の場所にいたユーザ、それらのユーザと関わりがある他のユーザなど）が情報にアクセスできるようにするために統合することができる。特定のイベント、ユーザ、場所および／または時間との情報の相関に基づく多くのアクセスモードのいずれも想定することができ、本発明は特定のモードに限定されない。
【００４２】
代表的なプロセス３００の動作３３０では、この情報へのアクセスが提供される。情報へのアクセスは、多くの方法のいずれかで提供することができる。‘３４０および‘５６１出願で説明されている代表的な技法の１つでは、情報は、「タイムライン」ディスプレイ上に提示することができ、その結果、例えば、ユーザは、時間経過に伴うユーザの場所と関連付けられた情報を閲覧することができる。図４は、特定の時間帯にわたってユーザの場所と関連付けられた情報を表現する代表的なタイムラインを表現する。示される代表的なタイムラインでは、様々なマーカーは特定の時点に関連し、マーカーを介してアクセス可能な情報は、それらの特定の時点におけるユーザの場所に関連する。この例では、ユーザは、タイムラインによって表されている時間帯中に場所を変更しており、その結果、マーカー４０２は、第１の時間におけるある場所２０２に対応し、マーカー４０４は、第２の（後続の）時間における別の場所２０４に対応し、マーカー４０６は、第３の時間における場所２０６に対応するなど、以下同様である。当然ながら、ユーザがタイムラインによって表されている時間帯中に場所を変更しなかった場合、様々なマーカーは、異なる時間における同じ場所に対応し得る。
【００４３】
適切ないかなる情報も、タイムライン上で表される特定の時点と関連付けることができる。図４に示される代表的なタイムラインでは、音楽ファイルはマーカー４０４と関連付けられ、画像はマーカー４０４と関連付けられ、映像ファイルはマーカー４０６と関連付けられ、テキスト情報はマーカー４０８と関連付けられ、別の音楽ファイルはマーカー４１０と関連付けられる。当然ながら、図４には示されていないが、複数のタイプの情報を特定の時点と関連付けることができる。例えば、ユーザが、そのお気に入りのバンドがコンサートでステージに立つところを見た時点では、コンサートの開始を表現する映像コンテンツ、ステージに立つところを見た際のユーザおよびその周りの人々の顔の表情を表現する１つまたは複数の画像、ステージに立つところを見た際のユーザの周りのその友人のテキストインジケーション、ショーの開始に伴う騒音レベルの上昇を表現するグラフ、様々なソーシャルメディアプラットフォームから集められた他のユーザからのショーの開始に対する論評が存在し得る。図４に示されるもののようなタイムラインを介してアクセス可能になったイベントに関する情報は、イベント中の異なる時間における観衆の熱狂を示す音レベルの記述子、参加者の数、ユーザの心理状態もしくは感情状態を示す情報、ユーザの物理的な周囲状況（例えば、気象条件）を説明する情報、および／または任意の他の適切なタイプの情報を含み得る。
【００４４】
参加者が利用できるようになったコンテンツは、「原」コンテンツ（例えば、おおよそ参加者が経験したようなまたは外部源から集められた）でも、または所望のユーザ経験を提供するためにフィルタ処理、修正、拡張、セグメント化、リミックスおよび／または別の方法での修正が行われたものでもよい。そのような修正は、自動的に、手動でまたは自動技法と手動技法との何らかの組合せを使用して実行することができる。例えば、いくつかの実施形態は、ユーザが利用できるようになった情報をユーザが編集または修正できるようにし得る。例えば、ユーザのタイムラインで公開されているその写真を好まないユーザは、他のユーザに公開されないように写真を削除することができる。
【００４５】
当然ながら、本発明は、タイムライン表現を介して情報をアクセス可能にすることに限定されない。表示、提示または他の形態のアクセスのための適切ないかなる方法も提供することができる。一例として、情報は、特定の時間帯中（例えば、イベント全体を通じて異なるステージで複数の演奏が行われる音楽祭中）にユーザが最も多く位置していた場所を示す「ヒートマップ」を介してなど、マップの形態で利用可能にすることができる。この実装モードでは、様々な情報のアイテムの各々は、例えば、マップ上の異なる場所と関連付けることができる。
【００４６】
別の例として、「ニュースフィード」は、情報の異なるアイテムを表示することができ、情報の異なるアイテムは、適切ないかなる順番でも配列することができる。例えば、情報のアイテムは、ユーザが経験した様々なイベントとの一致性に基づいて、ユーザにとっての推定される重要性（任意の適切な方法で決定される）に基づいて、ユーザの現在の場所および／もしくはユーザが何らかの関連性を示した場所との一致性に基づいて、前述の何らかの組合せで、または任意の他の適切な方法で時系列に配列することができる。
【００４７】
さらなる別の例として、マルチメディアモンタージュは、様々なタイプの情報から生成することができる。ユーザが最初にそのお気に入りのバンドをコンサートで見るという上記で与えられる例を使用して示すと、モンタージュは、ショーの開始の映像、ショー中の様々なポイントにおけるユーザおよびその周りのユーザの友人の写真、ショー中の様々な時間においてソーシャルメディアに投稿された異なるコメントを示すグラフィクス、異なる歌に合わせて踊っているユーザの映像、ショー中の様々なポイントにおいてソーシャルメディア活動がどのように取り上げられているかを示すグラフィクス、ショー中の照明および他の効果を表現する映像を含むシーケンスを含み得、それらはすべて、コンサート中に捕捉された音声に合わせて設定することができる。適切ないかなるタイプの情報もモンタージュで表すことができる。
【００４８】
情報は、任意の適切なプラットフォームを介してユーザが利用できるようにされ得る。例えば、情報は、ワールドワイドウェブを介して、イベントの現場に位置する物理的な表示の場を介して、コンピューティングデバイス上で実行しているアプリケーション（例えば、モバイルの「アプリ」）を介して、ならびに／または任意の他の適切な技法および／もしくはメカニズムを使用して利用できるようにされ得る。さらに、情報は、ユーザデバイス（例えば、ユーザデバイス１１０、図１）と他のコンポーネント（例えば、ブックマークサーバ１４０、図１）との間の双方向通信を介して利用可能にしなければならないわけではない。例えば、ユーザのモバイルデバイス上で実行しているアプリは、以前にデータベースから検索された情報を表示することができる。適切な任意の通信モードを採用する適切ないかなる技法も、ユーザに情報を提示するために使用することができる。
【００４９】
いくつかの実施形態では、ユーザは、他の特定のユーザのみが情報にアクセスできるように、および／または指定された方法でのみ情報が使用されるように、その経験に関連する特定の情報をプライベート用として指定することができる。例えば、ユーザは、ユーザが参加したコンサートに関連する映像（例えば、ユーザがそのスマートフォンまたは他のユーザデバイス１１０を使用して記録した映像、情報捕捉コンポーネント１３０によって記録されたショーでのユーザを描写した映像など）をプライベート用として指定し、特定の人々のみが映像を閲覧できるように、他のユーザが「その」タイムラインで映像を使用できないようになど、指定することができる。ユーザは、適切な任意の方法でその経験に関連する情報へのアクセスおよび／または使用を制限することができる。
【００５０】
さらに、本発明のいくつかの実施形態では、そのような制限は、イベント、場所および／または時間ベースであり得る。ユーザが参加したコンサートに関連する映像の上記の例を使用して示すと、ユーザは、コンサート中にユーザの極めて近くにいた他のユーザのみ、特定の時間（例えば、特定の役者がステージに上がっていた際）に近くにいたユーザなどが映像にアクセスおよび／または使用できるように指定することができる。
【００５１】
図５は、本発明の特定の態様を実装するために使用することができる適切なコンピューティングシステム５００の一例を示す。コンピューティングシステム５００は、適切なコンピューティングシステムの単なる一例であり、本発明の使用または機能の範囲に関する限定を示唆することを意図しない。コンピューティングシステム５００は、例示的なコンピューティングシステム５００において示されるコンポーネントのいずれか１つまたは組合せに関連する依存性を有するものとしても、それらに関連する要件を有するものとしても解釈されるべきではない。この点において、本発明の実施形態は、他の多くの一般用途または特殊用途のコンピューティングシステムまたは構成と共に動作可能である。本発明での使用に適した周知のコンピューティングシステムおよび／または構成の例は、これらに限定されないが、パーソナルコンピュータ、サーバコンピュータ、モバイルまたはラップトップデバイス、マルチプロセッサシステム、マイクロプロセッサベースシステム、セットトップボックス、プログラム可能家庭用電化製品、ネットワークＰＣ、ミニコンピュータ、メインフレームコンピュータ、上記のシステムまたはデバイスのいずれかを含む分散型コンピューティングシステム、および同様のものを含む。
【００５２】
コンピューティングシステムは、プログラムモジュールなど、コンピュータ実行可能命令を実行することができる。一般に、プログラムモジュールは、特定のタスクを実行するかまたは特定の抽象データタイプを実装するルーチン、プログラム、オブジェクト、コンポーネント、データ構造などを含む。また、本発明は、通信ネットワークを通じてリンクされたリモート処理デバイスによってタスクが実行される分散型コンピューティングシステムにおいて実践することもできる。分散型コンピューティングシステムでは、プログラムモジュールは、メモリ記憶装置を含むローカルコンピュータ記憶媒体とリモートコンピュータ記憶媒体との両方に位置し得る。
【００５３】
図５は、コンピュータ５１０の形態の一般用途のコンピューティングデバイスを表現する。コンピュータ５１０のコンポーネントは、これらに限定されないが、処理ユニット５２０と、システムメモリ５３０と、システムメモリを含む様々なシステムコンポーネントを処理ユニット５２０に結合するシステムバス５２１とを含み得る。システムバス５２１は、各種のバスアーキテクチャのいずれかを使用した、メモリバスまたはメモリコントローラ、周辺機器用バスおよびローカルバスを含む、いくつかのタイプのバス構造のいずれかであり得る。限定ではなく、例示として、そのようなアーキテクチャは、業界標準アーキテクチャ（ＩＳＡ）バス、マイクロチャネルアーキテクチャ（ＭＣＡ）バス、拡張ＩＳＡ（ＥＩＳＡ）バス、ビデオ電子機器規格協会（ＶＥＳＡ）ローカルバス、およびメザニン（Mezzanine）バスとしても知られる周辺機器相互接続（ＰＣＩ）バスを含む。
【００５４】
コンピュータ５１０は、通常、各種のコンピュータ可読媒体を含む。コンピュータ可読媒体は、コンピュータ５１０がアクセスすることができる利用可能ないかなる媒体でもあり得、揮発性媒体と不揮発性媒体との両方、着脱可能な媒体と着脱不能な媒体との両方を含む。限定ではなく、例示として、コンピュータ可読媒体は、コンピュータ記憶媒体および通信媒体を含み得る。コンピュータ記憶媒体は、コンピュータ可読命令、データ構造、プログラムモジュールまたは他のデータなどの情報の格納のための任意の方法または技術で実装される揮発性媒体と不揮発性媒体との両方、着脱可能な媒体と着脱不能な媒体との両方を含む。コンピュータ記憶媒体は、これらに限定されないが、ＲＡＭ、ＲＯＭ、ＥＥＰＲＯＭ、フラッシュメモリもしくは他のメモリ技術、ＣＤ−ＲＯＭ、デジタル多用途ディスク（ＤＶＤ）もしくは他の光ディスク記憶装置、または磁気カセット、磁気テープ、磁気ディスク記憶装置もしくは他の磁気記憶装置、あるいは所望の情報の格納に使用することができ、コンピュータ５１０がアクセスすることができる任意の他の１つまたは複数の媒体を含む。通信媒体は、通常、コンピュータ可読命令、データ構造、プログラムモジュール、または搬送波もしくは他の輸送メカニズムなどの変調データ信号の他のデータを具体化し、任意の情報搬送媒体を含む。「変調データ信号」という用語は、信号の情報を符号化するように設定または変更されたその特性の１つまたは複数を有する信号を意味する。限定ではなく、例示として、通信媒体は、有線ネットワークまたは有線直結接続などの有線媒体、音響、ＲＦ、赤外線および他の無線媒体などの無線媒体を含む。また、上記のいずれの組合せもコンピュータ可読媒体の範囲内に含まれるべきである。
【００５５】
システムメモリ５３０は、読み取り専用メモリ（ＲＯＭ）５３１およびランダムアクセスメモリ（ＲＡＭ）５３２などの揮発性および／または不揮発性メモリの形態のコンピュータ記憶媒体を含む。起動中など、コンピュータ５１０内の要素間での情報の転送を支援する基本的なルーチンを含む、基本的な入力／出力システム５３３（ＢＩＯＳ）は、通常、ＲＯＭ  ５３１に格納される。ＲＡＭ  ５３２は、通常、処理ユニット５２０からの速やかなアクセスが可能なおよび／または処理ユニット５２０上で現在動作中のデータおよび／またはプログラムモジュールを含む。限定ではなく、例示として、図５は、オペレーティングシステム５３４、アプリケーションプログラム５３５、他のプログラムモジュール５３６およびプログラムデータ５３７を示す。
【００５６】
また、コンピュータ５１０は、他の着脱可能／着脱不能な揮発性／不揮発性のコンピュータ記憶媒体も含み得る。単なる例示として、図５は、着脱不能な不揮発性の磁気媒体から読み取るかまたは同磁気媒体へ書き込むハードディスクドライブ５４１、および着脱可能な不揮発性の磁気ディスク５５２から読み取るかまたは同磁気ディスク５５２へ書き込む磁気ディスクドライブ５５１、ならびにＣＤ−ＲＯＭまたは他の光学媒体などの着脱可能な不揮発性の光ディスク５５６から読み取るかまたは同光ディスク５５６へ書き込む光ディスクドライブ５５５を示す。例示的なコンピューティングシステムにおいて使用することができる他の着脱可能／着脱不能な揮発性／不揮発性のコンピュータ記憶媒体は、これらに限定されないが、磁気カセットテープ、フラッシュメモリカード、デジタル多用途ディスク、デジタルビデオテープ、ソリッドステートＲＡＭ、ソリッドステートＲＯＭおよび同様のものを含む。ハードディスクドライブ５４１は、通常、インタフェース５４０などの着脱不能なメモリインタフェースを通じてシステムバス５２１に接続され、磁気ディスクドライブ５５１および光ディスクドライブ５５５は、通常、インタフェース５５０などの着脱可能なメモリインタフェースによってシステムバス５２１に接続される。
【００５７】
上記で論じられ、図５に示されるドライブおよびそれらの関連コンピュータ記憶媒体は、コンピュータ５１０のためのコンピュータ可読命令、データ構造、プログラムモジュールおよび他のデータの格納を提供する。図５では、例えば、ハードディスクドライブ５４１は、オペレーティングシステム５４４、アプリケーションプログラム５４５、他のプログラムモジュール５４６およびプログラムデータ５４７を格納するものとして示されている。これらのコンポーネントは、オペレーティングシステム５３４、アプリケーションプログラム５３５、他のプログラムモジュール５３６およびプログラムデータ５３７と同じであるか異なるものであるかのいずれかであり得ることに留意されたい。ここで、オペレーティングシステム５４４、アプリケーションプログラム５４５、他のプログラムモジュール５４６およびプログラムデータ５４７には、最低でもそれらが異なるコピーであることを示すために異なる番号が与えられている。ユーザは、キーボード５６２、およびマウス、トラックボールまたはタッチパッドと一般的に呼ばれているポインティングデバイス５６１などの入力デバイスを通じて、コマンドおよび情報をコンピュータ５１０に入力することができる。他の入力デバイス（図示せず）は、マイクロフォン、ジョイスティック、ゲームパッド、衛星放送受信アンテナ、スキャナまたは同様のものを含み得る。これらのおよび他の入力デバイスは、システムバスに結合されたユーザ入力インタフェース５６０を通じて処理ユニット５２０に接続される場合が多いが、パラレルポート、ゲームポートまたはユニバーサルシリアルバス（ＵＳＢ）などの他のインタフェースおよびバス構造によって接続することもできる。また、モニタ５９１または他のタイプの表示デバイスも、ビデオインタフェース５９０などのインタフェースを介してシステムバス５２１に接続される。モニタに加えて、コンピュータは、スピーカ５９７およびプリンタ５９６などの他の周辺機器出力デバイスも含み得、これらは、出力周辺機器インタフェース５９５を通じて接続することができる。
【００５８】
コンピュータ５１０は、リモートコンピュータ５８０などの１つまたは複数のリモートコンピュータへの論理接続を使用してネットワーク接続環境で動作することができる。リモートコンピュータ５８０は、パーソナルコンピュータ、サーバ、ルータ、ネットワークＰＣ、ピアデバイスまたは他の共通のネットワークノードであり得、通常、コンピュータ５１０に関連して上記で説明される要素の多くまたはすべてを含むが、図５には、メモリ記憶装置５８１のみが示されている。図５に表現される論理接続は、ローカルエリアネットワーク（ＬＡＮ）５７１および広域ネットワーク（ＷＡＮ）５７３を含むが、他のネットワークも含み得る。そのようなネットワーク接続環境は、オフィス、企業規模のコンピュータネットワーク、イントラネットおよびインターネットで一般的なものである。
【００５９】
ＬＡＮネットワーク接続環境で使用される場合、コンピュータ５１０は、ネットワークインタフェースまたはアダプタ５７０を通じてＬＡＮ  ５７１に接続される。ＷＡＮネットワーク接続環境で使用される場合、コンピュータ５１０は、通常、インターネットなどのＷＡＮ  ５７３上での通信を確立するためのモデム５７２または他の手段を含む。内蔵型または外付け型であり得るモデム５７２は、ユーザ入力インタフェース５６０を介してシステムバス５２１に、または他の適切なメカニズムに接続することができる。ネットワーク接続環境では、コンピュータ５１０に関連して表現されるプログラムモジュールまたはその部分は、リモートメモリ記憶装置に格納することができる。限定ではなく、例示として、図５は、メモリ装置５８１上に存在するものとしてリモートアプリケーションプログラム５８５を示す。示されるネットワーク接続は例示的なものであり、コンピュータ間で通信リンクを確立する他の手段を使用できることが理解されるであろう。
【００６０】
本発明の実施形態は、１つまたは複数のコンピュータまたは他のプロセッサ上で実行されると上記で論じられる本発明の様々な実施形態を実装する方法を実行する１つまたは複数のプログラムで符号化されたコンピュータ可読記憶媒体（または複数のコンピュータ可読媒体）（例えば、コンピュータメモリ、１つまたは複数のフロッピーディスク、コンパクトディスク（ＣＤ）、光ディスク、デジタルビデオディスク（ＤＶＤ）、磁気テープ、フラッシュメモリ、フィールドプログラマブルゲートアレイもしくは他の半導体デバイスの回路構成、または他の有形コンピュータ記憶媒体）として具体化することができる。前述の例から明らかであるように、コンピュータ可読記憶媒体は、非一時的な形態のコンピュータ実行可能命令を提供するのに十分な時間にわたり情報を保持することができる。そのような１つまたは複数のコンピュータ可読記憶媒体は、上記で論じられるような本発明の様々な態様を実装するために、その上に格納された１つまたは複数のプログラムを１つまたは複数の異なるコンピュータまたは他のプロセッサにロードできるように輸送可能なものであり得る。本明細書で使用される場合、「コンピュータ可読記憶媒体」という用語は、コンピュータが情報を読み取ることができる有形のマシン、メカニズムまたはデバイスのみを包含する。代替としてまたは加えて、本発明は、コンピュータ可読記憶媒体以外のコンピュータ可読媒体として具体化することができる。コンピュータ可読記憶媒体ではないコンピュータ可読媒体の例は、伝播信号のような一時的な媒体を含む。
【００６１】
本発明の少なくとも１つの実施形態のいくつかの態様をこうして説明してきたが、様々な改変形態、変更形態および改善形態が当業者に容易に想到されることを理解されたい。そのような改変形態、変更形態および改善形態は、本開示の一部であることが意図され、本発明の趣旨および範囲内にあることが意図される。さらに、本発明の利点が示されているが、本発明のすべての実施形態が、説明されるすべての利点を含むわけではないことを理解すべきである。いくつかの実施形態は、本明細書においておよびいくつかの例において有利なものとして説明される特徴を実装できない。それに従って、前述の説明および図面は単なる例示である。
【００６２】
本発明の様々な態様は、単独で使用することも、組み合わせて使用することも、前述において説明される実施形態で具体的に論じられていない各種の構成で使用することもでき、従って、その適用において、前述の説明に記載されるかまたは図面に示されるコンポーネントの詳細および構成に限定されない。例えば、一実施形態で説明される態様は、いかなる方法でも他の実施形態で説明される態様と組み合わせることができる。
【００６３】
本発明は、方法として具体化することができ、その例を説明してきた。方法の一部として実行される動作は、任意の適切な方法で順序付けることができる。それに従って、示されるものと異なる順序で動作が実行される実施形態を構築することができ、それらは、説明されるものと異なる動作を含むこと、および／または上記で具体的に説明される実施形態において順次に実行されるものとして動作が示される場合でも、いくつかの動作を同時に実行することを伴うことも可能である。
【００６４】
請求項要素を修正するための請求項における「第１の」、「第２の」、「第３の」などの順序に関する用語の使用は、それ自体が、ある請求項要素の別の請求項要素に対する優先、先行もしくは順序、または方法の動作が実行される時間的順序を含意することはなく、請求項要素を区別するために、特定の名称を有するある請求項要素を同じ名称を有する別の請求項要素と区別するための単なるラベルとして使用される（ただし、順序に関する用語の使用のため）。
【００６５】
また、本明細書で使用される表現および用語は、説明を目的とするものであり、限定するものと見なすべきではない。本明細書における「包含する」、「含む」、「含有する」、「有する」または「伴う」およびそれらの変形例の使用は、その後に列挙されるアイテムおよびそれらの均等物ならびに追加のアイテムを包含することを意味する。
【図１】
2018536212.tif 000003
【図２】
2018536212.tif 000004
【図３】
2018536212.tif 000005
【図４】
2018536212.tif 000006
【図５】
2018536212.tif 000007
【手続補正書】
【提出日】平成28年12月15日(2016.12.15)
【手続補正１】
【補正対象書類名】特許請求の範囲
【補正対象項目名】全文
【補正方法】変更
【補正の内容】
【特許請求の範囲】
【請求項１】
少なくとも１つのコンピュータプロセッサを含むシステムにおいて使用するための方法であって、
（Ａ）前記少なくとも１つのコンピュータプロセッサが、ユーザによって操作されるユーザデバイスから、前記ユーザの経験に関連する第１の情報の捕捉のインジケーションを受信する動作と、
（Ｂ）前記少なくとも１つのコンピュータプロセッサが、少なくとも１つの場所決定コンポーネントを使用して、前記インジケーションが受信される時間における前記ユーザデバイスの場所を決定する動作と、
（Ｃ）前記少なくとも１つのコンピュータプロセッサが、前記ユーザデバイスとは別の少なくとも１つの情報捕捉コンポーネントにより、前記ユーザの前記経験に関連する、前記第１の情報と異なる第２の情報の捕捉を行わせる動作と、
（Ｄ）前記少なくとも１つのコンピュータプロセッサが、前記第１の情報および前記第２の情報が格納されるようにする動作であって、前記格納する動作は、前記第１の情報および前記第２の情報を前記ユーザ、前記経験、前記場所、および前記時間の少なくとも１つと関連付けることを含む、格納されるようにする動作と、
（Ｅ）前記ユーザの前記経験に関連する前記第１の情報および前記第２の情報へのアクセスを前記ユーザに提供する動作と
を含む、方法。
【請求項２】
前記動作（Ｂ）は、前記少なくとも１つのコンピュータプロセッサが、前記少なくとも１つの場所決定コンポーネントを使用して、前記少なくとも１つの場所決定コンポーネントの場所に少なくとも部分的に基づいて前記ユーザデバイスの前記場所を決定することを含む、請求項１に記載の方法。
【請求項３】
前記動作（Ｂ）は、前記少なくとも１つの場所決定コンポーネントが、前記少なくとも１つの場所決定コンポーネントの前記場所において前記ユーザデバイスからの送信を受信することを含む、請求項２に記載の方法。
【請求項４】
前記送信は、前記ユーザデバイスと関連付けられた識別子を含む、請求項３に記載の方法。
【請求項５】
前記ユーザの前記経験は、前記ユーザがイベント設定でイベントを閲覧することを含み、および前記動作（Ｃ）は、前記イベントおよび／または前記イベント設定を表現する第２の情報の捕捉を行わせることを含む、請求項１に記載の方法。
【請求項６】
前記第１の情報は、第１の有利な地点からの前記イベントおよび／または前記イベント設定を表現し、および前記動作（Ｃ）は、第２の有利な地点からの前記イベントおよび／または前記イベント設定を表現する第２の情報の捕捉を行わせることを含む、請求項５に記載の方法。
【請求項７】
前記動作（Ｃ）は、前記イベントにおける前記ユーザを表現する第２の情報の捕捉を行わせることを含む、請求項５に記載の方法。
【請求項８】
前記動作（Ａ）は、前記ユーザに関するバイオメトリックデータ、前記ユーザデバイスの周りの環境条件のインジケーション、およびソーシャルメディアプラットフォーム上の前記イベントに関連する論評の１つまたは複数を捕捉することを含む、請求項５に記載の方法。
【請求項９】
前記動作（Ａ）は、捕捉されている前記ユーザに関するバイオメトリック情報のインジケーションを受信することを含み、前記バイオメトリック情報は、前記ユーザの心拍数が特定の閾値レートに達したこと、前記ユーザの虹彩が閾値量だけ拡大したこと、前記ユーザの声が特定の音量および／またはピッチに達したこと、ならびに前記ユーザが特定のジェスチャまたは動きを実行したことの１つまたは複数を含む、請求項８に記載の方法。
【請求項１０】
前記動作（Ａ）は、前記ユーザデバイスの周りの環境条件のインジケーションを受信することを含み、前記環境条件は、前記ユーザデバイスの周りの騒音レベル、前記ユーザの閾値数の友人が前記ユーザデバイスの極めて近くにいること、特定の個人が前記ユーザデバイスの極めて近くにいること、および天候関連のイベントが前記ユーザデバイスの周りで起こっていることの１つまたは複数を含む、請求項８に記載の方法。
【請求項１１】
前記動作（Ｃ）は、前記ユーザの画像、映像および／もしくは音声、前記イベント、ならびに／または前記イベント設定の捕捉を行わせることを含む、請求項８に記載の方法。
【請求項１２】
前記動作（Ｃ）は、前記動作（Ａ）における前記インジケーションを受信することおよび／または前記動作（Ｂ）における前記場所を決定することに応答して実行される、請求項１に記載の方法。
【請求項１３】
前記動作（Ａ）は、前記ユーザデバイスへのユーザ入力に応答して前記第１の情報の捕捉のインジケーションを受信することを含む、請求項１に記載の方法。
【請求項１４】
前記ユーザ入力は、前記ユーザデバイス上のボタンを押すこと、前記ユーザデバイスの画面に触れること、前記ユーザデバイスのマイクロフォンまたはカメラによって検出された手をたたくこと、前記ユーザデバイスのマイクロフォンまたはカメラによって検出された指を鳴らすこと、前記ユーザデバイスのマイクロフォンまたはカメラによって検出された目を瞬きすること、および前記ユーザデバイスを保持している間に前記ユーザによって実行されたジェスチャを含む、請求項１３に記載の方法。
【請求項１５】
前記動作（Ａ）は、前記ユーザデバイス上で実行しているモジュールが、１つまたは複数のトリガ基準が満たされていると判断することに応答して、前記第１の情報の捕捉のインジケーションを受信することを含む、請求項１に記載の方法。
【請求項１６】
前記動作（Ｅ）は、前記ユーザ以外の個人に前記第１の情報および前記第２の情報へのアクセスを提供することを含む、請求項１に記載の方法。
【請求項１７】
前記個人は、前記ユーザにより、前記第１の情報および前記第２の情報へのアクセスを受信するように指定される、請求項１６に記載の方法。
【請求項１８】
前記動作（Ｅ）は、前記個人と前記ユーザとの関連性、前記経験、および／または前記場所を識別することに応答して自動的に前記個人にアクセスを提供することを含む、請求項１６に記載の方法。
【請求項１９】
前記動作（Ｅ）は、前記ユーザが前記第１の情報および前記第２の情報の配布を承認した後にのみ、前記個人にアクセスを提供することを含む、請求項１６に記載の方法。
【請求項２０】
前記第１の情報および前記第２の情報は、異なるメディアタイプを含み、前記動作（Ｅ）は、前記第１の情報および前記第２の情報を組み込むマルチメディアコンテンツへのアクセスを提供することを含む、請求項１に記載の方法。
【請求項２１】
符号化された命令を有する少なくとも１つのコンピュータ可読記憶媒体であって、前記命令は、少なくとも１つの場所決定コンポーネント、少なくとも１つの情報捕捉コンポーネント、および少なくとも１つのブックマークサーバを含むシステムにおいて少なくとも１つのコンピュータプロセッサによって実行されると、
（Ａ）前記ユーザデバイスから、前記ユーザデバイスのユーザの経験に関連する第１の情報の捕捉のインジケーションを受信する動作と、
（Ｂ）前記インジケーションが受信される時間における前記ユーザデバイスの場所を決定する動作と、
（Ｃ）前記ユーザの前記経験に関連する、前記第１の情報と異なる第２の情報の捕捉を行わせる動作と、
（Ｄ）前記第１の情報および前記第２の情報が格納されるようにする動作であって、前記格納する動作は、前記第１の情報および前記第２の情報を前記ユーザ、前記経験、前記場所、および前記時間の少なくとも１つと関連付けることを含む、格納されるようにする動作と、
（Ｅ）前記ユーザの前記経験に関連する前記第１の情報および前記第２の情報へのアクセスを前記ユーザに提供する動作と
を含む方法を前記少なくとも１つのプロセッサに実行させる、少なくとも１つのコンピュータ可読記憶媒体。
【請求項２２】
前記動作（Ｂ）は、前記少なくとも１つの場所決定コンポーネントの場所に少なくとも部分的に基づいて前記ユーザデバイスの前記場所を決定することを含む、請求項２１に記載の少なくとも１つのコンピュータ可読記憶媒体。
【請求項２３】
前記動作（Ｂ）は、前記少なくとも１つの場所決定コンポーネントが、前記少なくとも１つの場所決定コンポーネントの前記場所において前記ユーザデバイスからの送信を受信することを含む、請求項２２に記載の少なくとも１つのコンピュータ可読記憶媒体。
【請求項２４】
前記送信は、前記ユーザデバイスと関連付けられた識別子を含む、請求項２３に記載の少なくとも１つのコンピュータ可読記憶媒体。
【請求項２５】
前記ユーザの前記経験は、前記ユーザがイベント設定でイベントを閲覧することを含み、および前記動作（Ｃ）は、前記イベントおよび／または前記イベント設定を表現する第２の情報の捕捉を行わせることを含む、請求項２１に記載の少なくとも１つのコンピュータ可読記憶媒体。
【請求項２６】
前記第１の情報は、第１の有利な地点からの前記イベントおよび／または前記イベント設定を表現し、および前記動作（Ｃ）は、第２の有利な地点からの前記イベントおよび／または前記イベント設定を表現する第２の情報の捕捉を行わせることを含む、請求項２５に記載の少なくとも１つのコンピュータ可読記憶媒体。
【請求項２７】
前記動作（Ｃ）は、前記イベントにおける前記ユーザを表現する第２の情報の捕捉を行わせることを含む、請求項２５に記載の少なくとも１つのコンピュータ可読記憶媒体。
【請求項２８】
前記動作（Ａ）は、前記ユーザに関するバイオメトリックデータ、前記ユーザデバイスの周りの環境条件のインジケーション、およびソーシャルメディアプラットフォーム上の前記イベントに関連する論評の１つまたは複数を捕捉することを含む、請求項２５に記載の少なくとも１つのコンピュータ可読記憶媒体。
【請求項２９】
前記動作（Ａ）は、捕捉されている前記ユーザに関するバイオメトリック情報のインジケーションを受信することを含み、前記バイオメトリック情報は、前記ユーザの心拍数が特定の閾値レートに達したこと、前記ユーザの虹彩が閾値量だけ拡大したこと、前記ユーザの声が特定の音量および／またはピッチに達したこと、ならびに前記ユーザが特定のジェスチャまたは動きを実行したことの１つまたは複数を含む、請求項２８に記載の少なくとも１つのコンピュータ可読記憶媒体。
【請求項３０】
前記動作（Ａ）は、前記ユーザデバイスの周りの環境条件のインジケーションを受信することを含み、前記環境条件は、前記ユーザデバイスの周りの騒音レベル、前記ユーザの閾値数の友人が前記ユーザデバイスの極めて近くにいること、特定の個人が前記ユーザデバイスの極めて近くにいること、および天候関連のイベントが前記ユーザデバイスの周りで起こっていることの１つまたは複数を含む、請求項２８に記載の少なくとも１つのコンピュータ可読記憶媒体。
【請求項３１】
前記動作（Ｃ）は、前記ユーザの画像、映像および／もしくは音声、前記イベント、ならびに／または前記イベント設定の捕捉を行わせることを含む、請求項２８に記載の少なくとも１つのコンピュータ可読記憶媒体。
【請求項３２】
前記動作（Ｃ）は、前記動作（Ａ）における前記インジケーションを受信することおよび／または前記動作（Ｂ）における前記場所を決定することに応答して実行される、請求項２１に記載の少なくとも１つのコンピュータ可読記憶媒体。
【請求項３３】
前記動作（Ａ）は、前記ユーザデバイスへのユーザ入力に応答して前記第１の情報の捕捉のインジケーションを受信することを含む、請求項２１に記載の少なくとも１つのコンピュータ可読記憶媒体。
【請求項３４】
前記ユーザ入力は、前記ユーザデバイス上のボタンを押すこと、前記ユーザデバイスの画面に触れること、前記ユーザデバイスのマイクロフォンまたはカメラによって検出された手をたたくこと、前記ユーザデバイスのマイクロフォンまたはカメラによって検出された指を鳴らすこと、前記ユーザデバイスのマイクロフォンまたはカメラによって検出された目を瞬きすること、および前記ユーザデバイスを保持している間に前記ユーザによって実行されたジェスチャを含む、請求項３３に記載の少なくとも１つのコンピュータ可読記憶媒体。
【請求項３５】
前記動作（Ａ）は、前記ユーザデバイス上で実行しているモジュールが、１つまたは複数のトリガ基準が満たされていると判断することに応答して、前記第１の情報の捕捉のインジケーションを受信することを含む、請求項２１に記載の少なくとも１つのコンピュータ可読記憶媒体。
【請求項３６】
前記動作（Ｅ）は、前記ユーザ以外の個人に前記第１の情報および前記第２の情報へのアクセスを提供することを含む、請求項２１に記載の少なくとも１つのコンピュータ可読記憶媒体。
【請求項３７】
前記個人は、前記ユーザにより、前記第１の情報および前記第２の情報へのアクセスを受信するように指定される、請求項３６に記載の少なくとも１つのコンピュータ可読記憶媒体。
【請求項３８】
前記動作（Ｅ）は、前記個人と前記ユーザとの関連性、前記経験、および／または前記場所を識別することに応答して自動的に前記個人にアクセスを提供することを含む、請求項３６に記載の少なくとも１つのコンピュータ可読記憶媒体。
【請求項３９】
前記動作（Ｅ）は、前記ユーザが前記第１の情報および前記第２の情報の配布を承認した後にのみ、前記個人にアクセスを提供することを含む、請求項３６に記載の少なくとも１つのコンピュータ可読記憶媒体。
【請求項４０】
前記第１の情報および前記第２の情報は、異なるメディアタイプを含み、前記動作（Ｅ）は、前記第１の情報および前記第２の情報を組み込むマルチメディアコンテンツへのアクセスを提供することを含む、請求項２１に記載の少なくとも１つのコンピュータ可読記憶媒体。
【請求項４１】
ユーザによって操作されるユーザデバイスからの送信を受信するように構成された少なくとも１つの通信デバイスと、
情報を捕捉するように構成されている、前記ユーザデバイスとは別の少なくとも１つの情報捕捉デバイスと、
前記ユーザデバイスおよび前記少なくとも１つの情報捕捉デバイスによって捕捉された情報を格納し、かつそれへのアクセスを提供するように構成された少なくとも１つの記憶装置と、
符号化された命令を有する少なくとも１つのコンピュータ可読記憶媒体と、
少なくとも１つのコンピュータプロセッサであって、前記命令を介して、
前記少なくとも１つの通信デバイスを介して前記ユーザデバイスから、前記ユーザデバイスのユーザの経験に関連する第１の情報の捕捉のインジケーションを受信することと、
前記少なくとも１つの通信デバイスによって提供された情報に少なくとも部分的に基づいて、前記インジケーションが受信される時間における前記ユーザデバイスの場所を決定することと、
前記少なくとも１つの情報捕捉デバイスにより、前記ユーザの前記経験に関連する、前記第１の情報と異なる第２の情報の捕捉を行わせることと、
前記第１の情報および前記第２の情報が前記少なくとも１つの記憶装置によって格納されるようにすることであって、前記格納することは、前記第１の情報および前記第２の情報を前記ユーザ、前記経験、前記場所、および前記時間の少なくとも１つと関連付けることを含む、格納されるようにすることと、
前記ユーザの前記経験に関連する前記第１の情報および前記第２の情報へのアクセスを前記ユーザに提供することを前記少なくとも１つの記憶装置に行わせることと
を行うようにプログラムされる、少なくとも１つのコンピュータプロセッサと
を含む、装置。
【請求項４２】
前記少なくとも１つのコンピュータプロセッサは、前記少なくとも１つの通信コンポーネントの既知の場所に少なくとも部分的に基づいて前記ユーザデバイスの前記場所を決定するようにプログラムされる、請求項４１に記載の装置。
【請求項４３】
前記少なくとも１つのコンピュータプロセッサは、前記少なくとも１つの通信デバイスが前記ユーザデバイスからの送信を受信する既知の場所に少なくとも部分的に基づいて前記ユーザデバイスの前記場所を決定するようにプログラムされる、請求項４２に記載の装置。
【請求項４４】
前記送信は、前記ユーザデバイスと関連付けられた識別子を含む、請求項４３に記載の装置。
【請求項４５】
前記ユーザの前記経験は、前記ユーザがイベント設定でイベントを閲覧することを含み、および前記少なくとも１つのコンピュータプロセッサは、前記少なくとも１つの情報捕捉デバイスにより、前記イベントおよび／または前記イベント設定を表現する第２の情報の捕捉を行わせるようにプログラムされる、請求項４１に記載の装置。
【請求項４６】
前記第１の情報は、第１の有利な地点からの前記イベントおよび／または前記イベント設定を表現し、および前記少なくとも１つのコンピュータプロセッサは、前記少なくとも１つの情報捕捉デバイスにより、第２の有利な地点からの前記イベントおよび／または前記イベント設定を表現する第２の情報の捕捉を行わせるようにプログラムされる、請求項４５に記載の装置。
【請求項４７】
前記少なくとも１つのコンピュータプロセッサは、前記少なくとも１つの情報捕捉デバイスにより、前記イベントにおける前記ユーザを表現する第２の情報の捕捉を行わせるようにプログラムされる、請求項４５に記載の装置。
【請求項４８】
前記少なくとも１つのコンピュータプロセッサは、前記ユーザデバイスから、前記ユーザに関するバイオメトリックデータ、前記ユーザデバイスの周りの環境条件のインジケーション、およびソーシャルメディアプラットフォーム上の前記イベントに関連する論評の１つまたは複数の捕捉のインジケーションを受信するようにプログラムされる、請求項４５に記載の装置。
【請求項４９】
前記少なくとも１つのコンピュータプロセッサは、前記ユーザデバイスから、捕捉されている前記ユーザに関するバイオメトリック情報のインジケーションを受信するようにプログラムされ、前記バイオメトリック情報は、前記ユーザの心拍数が特定の閾値レートに達したこと、前記ユーザの虹彩が閾値量だけ拡大したこと、前記ユーザの声が特定の音量および／またはピッチに達したこと、ならびに前記ユーザが特定のジェスチャまたは動きを実行したことの１つまたは複数を含む、請求項４８に記載の装置。
【請求項５０】
前記少なくとも１つのコンピュータプロセッサは、前記ユーザデバイスから、前記ユーザデバイスの周りの環境条件のインジケーションを受信するようにプログラムされ、前記環境条件は、前記ユーザデバイスの周りの騒音レベル、前記ユーザの閾値数の友人が前記ユーザデバイスの極めて近くにいること、特定の個人が前記ユーザデバイスの極めて近くにいること、および天候関連のイベントが前記ユーザデバイスの周りで起こっていることの１つまたは複数を含む、請求項４８に記載の装置。
【請求項５１】
前記少なくとも１つのコンピュータプロセッサは、前記ユーザの画像、映像および／もしくは音声、前記イベント、ならびに／または前記イベント設定を含む第２の情報の捕捉を行わせるようにプログラムされる、請求項４８に記載の装置。
【請求項５２】
前記少なくとも１つのコンピュータプロセッサは、前記少なくとも１つの情報捕捉デバイスにより、捕捉されている前記第１の情報の前記インジケーションを受信することおよび／または前記ユーザデバイスの前記場所を決定することに応答して前記第２の情報の捕捉を行わせるようにプログラムされる、請求項４１に記載の装置。
【請求項５３】
前記少なくとも１つのコンピュータプロセッサは、前記ユーザデバイスにより、前記ユーザデバイスへのユーザ入力に応答して前記第１の情報の捕捉のインジケーションを受信するようにプログラムされる、請求項４１に記載の装置。
【請求項５４】
前記ユーザ入力は、前記ユーザデバイス上のボタンを押すこと、前記ユーザデバイスの画面に触れること、前記ユーザデバイスのマイクロフォンまたはカメラによって検出された手をたたくこと、前記ユーザデバイスのマイクロフォンまたはカメラによって検出された指を鳴らすこと、前記ユーザデバイスのマイクロフォンまたはカメラによって検出された目を瞬きすること、および前記ユーザデバイスを保持している間に前記ユーザによって実行されたジェスチャを含む、請求項５３に記載の装置。
【請求項５５】
前記少なくとも１つのコンピュータプロセッサは、前記ユーザデバイス上で実行しているモジュールが、１つまたは複数のトリガ基準が満たされていると判断することに応答して、前記第１の情報の前記捕捉の前記インジケーションを受信するようにプログラムされる、請求項４１に記載の装置。
【請求項５６】
前記少なくとも１つのコンピュータプロセッサは、前記ユーザ以外の個人に前記第１の情報および前記第２の情報へのアクセスを提供することを前記少なくとも１つの記憶装置に行わせるようにプログラムされる、請求項４１に記載の装置。
【請求項５７】
前記個人は、前記ユーザにより、前記第１の情報および前記第２の情報へのアクセスを受信するように指定される、請求項５６に記載の装置。
【請求項５８】
前記少なくとも１つのコンピュータプロセッサは、前記個人と前記ユーザとの関連性、前記経験、および／または前記場所を識別することに応答して自動的に前記個人にアクセスを提供することを前記少なくとも１つの記憶装置に行わせるようにプログラムされる、請求項５６に記載の装置。
【請求項５９】
前記少なくとも１つのコンピュータプロセッサは、前記ユーザが前記第１の情報および前記第２の情報の配布を承認した後にのみ、前記個人にアクセスを提供することを前記少なくとも１つの記憶装置に行わせるようにプログラムされる、請求項５６に記載の装置。
【請求項６０】
前記第１の情報および前記第２の情報は、異なるメディアタイプを含み、前記少なくとも１つのコンピュータプロセッサは、前記第１の情報および前記第２の情報を組み込むマルチメディアコンテンツへのアクセスを提供することを前記少なくとも１つの記憶装置に行わせるようにプログラムされる、請求項４１に記載の装置。
【国際調査報告】
2018536212.tif 000008
2018536212.tif 000009